(57)【要約】【課題】本明細書は、割り当てられた一つ以上のリソースを受信する方法を提供する。【解決手段】受信方法は、共存イネイブラエンティティを含む装置が、ＴＶ帯域内のチャネルを利用する少なくとも一つ以上のデバイスに対する情報を含む要求メッセージを共存マネージャに送信するステップを含むことができる。ここで、情報は、ＴＶ帯域内のチャネルを利用する少なくとも一つ以上のデバイスから取得された利用可能なチャネルリストを含むことができる。そして、要求メッセージは、最大電力レベル、チャネル負荷、位置情報のうち一つ以上をさらに含むことができる。方法は、装置が、リソースを割り当てるための応答メッセージを共存マネージャから受信するステップをさらに含むことができる。応答メッセージは、チャネル番号に対する情報、開始周波数、終了周波数、最大電力レベルのうち一つ以上をさらに含むことができる。【選択図】図１４
2013546246.tif 000002
【特許請求の範囲】
【請求項１】
一つ以上のリソースを受信する方法であって、
共存イネイブラエンティティを含む装置が、ＴＶ帯域内のチャネルを利用する一つ以上のデバイスに対する情報を含む要求メッセージを共存マネージャに送信するステップと、
前記装置が、リソースを割り当てるための応答メッセージを前記共存マネージャから受信するステップと、
を有し、
前記情報は、前記ＴＶ帯域内のチャネルを利用する前記一つ以上のデバイスから取得された利用可能なチャネルリストを含み、前記要求メッセージは、最大電力レベル、チャネル負荷、位置情報のうち一つ以上をさらに含み、
前記応答メッセージは、チャネル番号に対する情報、開始周波数、終了周波数、最大電力レベルのうち一つ以上をさらに含むことを特徴とするリソース受信方法。
【請求項２】
前記装置が、前記一つ以上のデバイスから要求メッセージを受信するステップをさらに含むことを特徴とする請求項１に記載のリソース受信方法。
【請求項３】
前記一つ以上のデバイスから受信された前記要求メッセージは、チャネル番号に対する情報、最大送信レベル、チャネル負荷、位置情報のうち一つ以上をさらに含むことを特徴とする請求項２に記載のリソース受信方法。
【請求項４】
前記装置が、応答メッセージを前記一つ以上のデバイスに送信するステップをさらに含むことを特徴とする請求項２に記載のリソース受信方法。
【請求項５】
前記送信された応答メッセージは、チャネル番号に対する情報、開始周波数、終了周波数、最大電力レベルのうち一つ以上をさらに含むことを特徴とする請求項１に記載のリソース受信方法。
【請求項６】
前記共存マネージャは、共存ホワイトスペースマップを生成し、前記一つ以上のデバイスに対する共存決定を実行し、又は共存のために要求される情報を交換することを特徴とする請求項１に記載のリソース受信方法。
【請求項７】
前記ＴＶ帯域内のチャネルを利用する前記一つ以上のデバイスは、互いに異なるタイプのネットワーク技術を利用することを特徴とする請求項１に記載のリソース受信方法。
【請求項８】
一つ以上のリソースを割り当てる方法であって、
共存マネージャを含む装置が、ＴＶ帯域内のチャネルを利用する一つ以上のデバイスに対する情報を含む要求メッセージを共存イネイブラエンティティから受信するステップと、
前記装置が、リソースを割り当てるための応答メッセージを前記共存イネイブラエンティティに送信するステップと、
を有し、
前記情報は、前記ＴＶ帯域内のチャネルを利用する前記一つ以上のデバイスから取得された利用可能なチャネルリストを含み、前記要求メッセージは、最大電力レベル、チャネル負荷、位置情報のうち一つ以上をさらに含み、
前記応答メッセージは、チャネル番号に対する情報、開始周波数、終了周波数、最大電力レベルのうち一つ以上をさらに含むことを特徴とするリソース割当方法。
【請求項９】
前記共存マネージャは、共存ホワイトスペースマップを生成し、前記一つ以上のデバイスに対する共存決定を実行し、又は共存のために要求される情報を交換することを特徴とする請求項８に記載のリソース割当方法。
【請求項１０】
前記ＴＶ帯域内のチャネルを利用する前記一つ以上のデバイスは、互いに異なるタイプのネットワーク技術を利用することを特徴とする請求項８に記載のリソース割当方法。
【請求項１１】
一つ以上のリソースを割り当てる装置であって、
共存イネイブラエンティティを含む格納部と、
前記共存イネイブラエンティティと協力し、ＴＶ帯域内のチャネルを利用する一つ以上のデバイスに対する情報を含む要求メッセージを共存マネージャに送信する送信部と、
リソースを割り当てるための応答メッセージを前記共存マネージャから受信する受信部と、
を有し、
前記情報は、前記ＴＶ帯域内のチャネルを利用する前記一つ以上のデバイスから取得された利用可能なチャネルリストを含み、前記要求メッセージは、最大パワーレベル、チャネル負荷、位置情報のうち一つ以上をさらに含み、
前記応答メッセージは、チャネル番号に対する情報、開始周波数、終了周波数、最大電力レベルのうち一つ以上をさらに含むことを特徴とする装置。
【請求項１２】
前記受信部は、前記一つ以上のデバイスから要求メッセージをさらに受信し、前記一つ以上のデバイスから受信された前記要求メッセージは、チャネル番号に対する情報、最大送信レベル、チャネル負荷、位置情報のうち一つ以上をさらに含むことを特徴とする請求項１１に記載の装置。
【請求項１３】
前記送信部は、応答メッセージを前記一つ以上のデバイスに送信し、前記送信された応答メッセージは、チャネル番号に対する情報、開始周波数、終了周波数、最大電力レベルのうち一つ以上をさらに含むことを特徴とする請求項１２に記載の装置。
【請求項１４】
一つ以上のリソースを割り当てる装置であって、
共存マネージャを含む格納部と、
ＴＶ帯域内のチャネルを利用する一つ以上のデバイスに対する情報を含む要求メッセージを共存イネイブラエンティティから受信する受信部と、
前記共存マネージャと協力し、リソースを割り当てるための応答メッセージを前記共存イネイブラエンティティに送信する送信部と、
を有し、
前記情報は、前記ＴＶ帯域内のチャネルを利用する前記一つ以上のデバイスから取得された利用可能なチャネルリストを含み、前記要求メッセージは、最大パワーレベル、チャネル負荷、位置情報のうち一つ以上をさらに含み、
前記応答メッセージは、チャネル番号に対する情報、開始周波数、終了周波数、最大電力レベルのうち一つ以上をさらに含むことを特徴とする装置。
【請求項１５】
前記共存マネージャは、共存ホワイトスペースマップを生成し、前記一つ以上のデバイスに対する共存決定を実行し、又は共存のために要求される情報を交換することを特徴とする請求項１４に記載の装置。
【発明の詳細な説明】
【技術分野】
【０００１】
本明細書は、共存システムにおけるリソース取得方法及びそれを利用した装置に関する。
【背景技術】
【０００２】
従来、新たなサービスのために周波数を配分したり、新たな事業者に周波数を配分したりすることは、政府の主導下で行われた。
【０００３】
特に新規事業者がいる場合、新たな周波数を競売などを介して割り当てたり、既存の周波数を既存事業者から回収して他の事業者に再配置したりすることによって、限定的リソースである周波数を配分した。
【０００４】
しかし、最近、開放型端末プラットホーム、アップ(Ａｐｐ)ストア、モバイルＶｏＩＰなど、多様な無線インターネットベースのアプリケーションの拡散につれて無線データトラフィック需要が爆発的に増加しているため、このように政府主導の周波数配分は非常に非効率的で、根本的に周波数分配表上で新規周波数確保が段々難しくなってきている。
【０００５】
特に、放送及び通信システムの急速な成長とともに次世代通信システムは、様々なネットワークの融合形態で設計され、システムが段々複雑になって、相互連動の必要性が順次拡大されている。また、通信技術及びサービスの発展によって周波数リソースに対する使用頻度が増加し、優秀な通信技術及びサービス提供のために固定的に特定周波数帯域を占有することによって周波数枯渇問題が深刻な状況に達した。
【０００６】
最近、このような問題を解決することができる方案として、周波数共有方式が注目を浴びている。これは、現在の周波数不足現象が既存の仕切り式周波数管理方式に起因したことであり、周波数分配表上では周波数が足りないと判断されるが、共有方式を介して周波数不足問題解決が可能であるという観点で出発したことである。
【０００７】
このような周波数リソースの枯渇問題が世界的に重要に認識されることによって、米国ＦＣＣ(Ｆｅｄｅｒａｌ Ｃｏｍｍｕｎｉｃａｔｉｏｎｓ Ｃｏｍｍｉｓｓｉｏｎ)は、２００８年１１月スペクトラム使用効率を上げて新たなサービス導入を容易にするためにＴＶ遊休周波数(Ｗｈｉｔｅ ｓｐａｃｅ)を対象に周波数共有技術である認知無線(Ｃｏｇｎｉｔｉｖｅ Ｒａｄｉｏ)技術を適用するようにして関連規定を改定した。
【０００８】
このような動きは順次拡大され、２００９年度には英国がＴＶ放送帯域中に空間的に使用しない帯域、即ち、Ｗｈｉｔｅ Ｓｐａｃｅ帯域で認知無線(ＣＲ)ベースの周波数共有技術使用を許容したことがあり、ＥＵも現在導入方案を検討中であり、国内でもｗｈｉｔｅ ｓｐａｃｅ帯域を利用した周波数共有政策用意のための準備が行われている。
【０００９】
認知無線技術は、通信装置が自体的に通信環境を観察し、最適の通信のための動作方式を判断して選択し、以前の通信経験から今後判断過程に対する計画を立てるシステムを意味する。即ち、非認可帯域(Ｕｎｌｉｃｅｎｓｅｄ ｂａｎｄ)に割り当てられている周波数帯域のうちその活用度が低い、又は時/空間的に使われない遊休リソース(スペクトルホール(Ｓｐｅｃｔｒｕｍ ｈｏｌｅ)、ホワイトスペース(Ｗｈｉｔｅ ｓｐａｃｅ))を探して適応的(Ａｄａｐｔｉｖｅ)で合理的(Ｏｐｐｏｒｔｕｎｉｓｔｉｃ)に利用する技術である。この時、該当帯域に利用権限(Ｌｉｃｅｎｓｅ)を有している主ユーザ(Ｐｒｉｍａｒｙ ｕｓｅｒ)が発見されると、直ちに該当帯域の使用を止め、又は送信電力を調節して主ユーザに被害を与えないように動作しなければならない。
【発明の概要】
【発明が解決しようとする課題】
【００１０】
本明細書に開示された一実施例は、チャネルロード(Ｃｈａｎｎｅｌ ｌｏａｄ)を測定することによって、共存マネージャが測定情報を含む全ての情報を管理すると共に最適の動作チャネル割当の実行によるシグナリング(ｓｉｇｎａｌｉｎｇ)及び計算オーバーヘッド(ｃｏｍｐｕｔａｔｉｏｎ ｏｖｅｒｈｅａｄ)を減少させるためのものである。
【００１１】
また、本明細書に開示された他の実施例は、チャネルロード(Ｃｈａｎｎｅｌ ｌｏａｄ)を使用してＴＶＢＤネットワーク又はデバイスが実際に測定したチャネル情報に基づいて動作チャネルに対する選好度(ｐｒｅｆｅｒｅｎｃｅ)を共存マネージャに知らせることによって共存マネージャのチャネル割当に対するオーバーヘッドを減らすためのものである。
【課題を解決するための手段】
【００１２】
本明細書は、割り当てられた一つ以上のリソースを受信する方法を提示する。前記方法は、共存イネイブラエンティティを含む装置が、ＴＶ帯域内のチャネルを利用する少なくとも一つ以上のデバイスに対する情報を含む要求メッセージを共存マネージャに送信するステップを含む。ここで、前記情報は、前記ＴＶ帯域内のチャネルを利用する少なくとも一つ以上のデバイスから取得された利用可能なチャネルリストを含む。そして、前記要求メッセージは、最大電力レベル、チャネル負荷、位置情報のうち一つ以上をさらに含む。前記方法は、前記装置が、リソースを割り当てるための応答メッセージを前記共存マネージャから受信するステップをさらに含む。前記応答メッセージは、チャネル番号に対する情報、開始周波数、終了(Ｅｎｄ)周波数、最大電力レベルのうち一つ以上をさらに含む。
【００１３】
前記リソース受信方法は、前記装置が、前記一つ以上のデバイスから要求メッセージを受信するステップをさらに含む。ここで、前記一つ以上のデバイスから受信された要求メッセージは、チャネル番号に対する情報、最大送信レベル、チャネル負荷、位置情報のうち一つ以上をさらに含む。
【００１４】
前記リソース受信方法は、前記装置が、応答メッセージを前記一つ以上の装置に送信するステップをさらに含む。ここで、前記送信された応答メッセージは、チャネル番号に対する情報、開始周波数、終了(Ｅｎｄ)周波数、最大電力レベルのうち一つ以上を含む。
【００１５】
前記共存マネージャは、共存ホワイトスペースマップを生成し、又は一つ以上のデバイスに対する共存決定を実行し、又は共存のために要求される情報を交換する。
【００１６】
前記ＴＶ帯域内のチャネルを利用する一つ以上のデバイスは、互いに異なるタイプのネットワーク技術を利用する。
【００１７】
また、本明細書は、一つ以上のリソースを割り当てる方法を提供する。前記リソース割当方法は、共存マネージャを含む装置が、ＴＶ帯域内のチャネルを利用する少なくとも一つ以上のデバイスに対する情報を含む要求メッセージを共存イネイブラエンティティから受信するステップを含む。前記情報は、前記ＴＶ帯域内のチャネルを利用する少なくとも一つ以上のデバイスから取得された利用可能なチャネルリストを含み、前記要求メッセージは、最大電力レベル、チャネル負荷、位置情報のうち一つ以上をさらに含む。
【００１８】
前記リソース割当方法は、前記装置が、リソースを割り当てるための応答メッセージを前記共存イネイブラエンティティに送信するステップをさらに含む。そして、前記応答メッセージは、チャネル番号に対する情報、開始周波数、終了(Ｅｎｄ)周波数、最大電力レベルのうち一つ以上を含む。
【００１９】
なお、本明細書は、割り当てられたリソースを受信する装置を提示する。
【００２０】
前記装置は、共存イネイブラエンティティを含む格納部と；共存イネイブラエンティティと協力し、ＴＶ帯域内のチャネルを利用する少なくとも一つ以上のデバイスに対する情報を含む要求メッセージを共存マネージャに送信する送信部を含む。ここで、前記情報は、前記ＴＶ帯域内のチャネルを利用する少なくとも一つ以上のデバイスから取得された利用可能なチャネルリストを含み、前記要求メッセージは、最大電力レベル、チャネル負荷、位置情報のうち一つ以上をさらに含む。前記装置は、リソースを割り当てるための応答メッセージを前記共存マネージャから受信する受信部をさらに含む。ここで、前記応答メッセージは、チャネル番号に対する情報、開始周波数、終了(Ｅｎｄ)周波数、最大電力レベルのうち一つ以上をさらに含む。
【００２１】
さらに、本明細書は、一つ以上のリソースを割り当てる装置を追加的に提示する。前記装置は、共存マネージャを含む格納部と、ＴＶ帯域内のチャネルを利用する少なくとも一つ以上のデバイスに対する情報を含む要求メッセージを共存イネイブラエンティティから受信する受信部を含む。ここで、前記情報は、前記ＴＶ帯域内のチャネルを利用する少なくとも一つ以上のデバイスから取得された利用可能なチャネルリストを含み、前記要求メッセージは、最大電力レベル、チャネル負荷、位置情報のうち一つ以上をさらに含む。前記装置は、前記共存マネージャと協力し、リソースを割り当てるための応答メッセージを前記共存イネイブラエンティティに送信する送信部を含む。この時、前記応答メッセージは、チャネル番号に対する情報、開始周波数、終了(Ｅｎｄ)周波数、最大電力レベルのうち一つ以上をさらに含む。
【発明の効果】
【００２２】
本明細書に開示された一実施例によると、単に地理的位置(ｇｅｏ−ｌｏｃａｔｉｏｎ)とデバイスタイプ(ｄｅｖｉｃｅ ｔｙｐｅ)のみで計算されるＴＶＢＤネットワーク又はデバイス間の干渉(ｉｎｔｅｒｆｅｒｅｎｃｅ)関係(ＴＶＢＤネットワーク又はデバイス間のネイバーセットを取得する問題)の脆弱点を補完することができ、共存マネージャが測定情報を含む全ての情報を管理しながら最適の動作チャネル割当の実行によるシグナリング(ｓｉｇｎａｌｉｎｇ)及び計算オーバーヘッド(ｃｏｍｐｕｔａｔｉｏｎ ｏｖｅｒｈｅａｄ)を大きく減少することができる。
【００２３】
また、本明細書に開示された他の実施例によると、ＴＶＢＤネットワーク又はデバイスが実際に測定したチャネル情報に基づいて動作チャネルに対する選好度(ｐｒｅｆｅｒｅｎｃｅ)を共存マネージャに知らせることによって共存マネージャのチャネル割当に対するオーバーヘッドを大幅に減らすことができる。
【図面の簡単な説明】
【００２４】
【図１】本明細書の一実施例に係る共存(ｃｏｅｘｉｓｔｅｎｃｅ)システムを示すブロック図である。
【図２】本明細書の他の実施例に係る共存システムを示すブロック図である。
【図３】本明細書の一実施例に係る共存システムが配置された例を示す。
【図４ａ】プロトコルスタックを示す。
【図４ｂ】プロトコルスタックを示す。
【図５】本明細書の一実施例に係る共存システムの動作を示す。
【図６】本明細書の一実施例に係る共存システムが配置された他の例を示す。
【図７】ＣＤＩＳ/ＣＤＢ４００の動作を示す例示図である。
【図８】共存輪郭を示す例示図である。
【図９】図８の環境で共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)の例を示す。
【図１０】本明細書に開示された一実施例に係る共存マネージャ(ＣＭ)３００が共存イネイブラ(ＣＥ)２００から測定された情報を受信する過程を説明するための図面である。
【図１１】本明細書に開示された一実施例に係る共存測定要求のプリミティブの意味(ｓｅｍａｎｔｉｃｓ)を示す図面である。
【図１２】本明細書に開示された他の実施例に係る共存イネイブラ(ＣＥ)２００が共存マネージャ(ＣＭ)３００から共存情報(Ｃｏｅｘｉｓｔｅｎｃｅ Ｉｎｆｏｒｍａｔｉｏｎ)を要求して受信する過程を説明するための図面である。
【図１３】リソース再構成手順を示す図面である。
【図１４】本明細書に開示されたＴＶＢＤネットワーク又はデバイス１００のブロック図である。
【図１５】本明細書に開示された共存マネージャ(ＣＭ)３００のブロック図である。
【発明を実施するための形態】
【００２５】
本明細書で使われる技術的用語は、単に特定の実施例を説明するために使われたものであり、本発明を限定する意図ではないことを留意しなければならない。また、本明細書で使われる技術的用語は、本明細書で特別に他の意味で定義されない限り、本発明が属する技術分野において通常の知識を有する者により一般的に理解される意味で解釈されなければならず、過度に包括的な意味、又は過度に縮小された意味で解釈されてならない。また、本明細書で使われる技術的な用語が本発明の思想を正確に表現することができない誤った技術的用語である時には、当業者が正しく理解することができる技術的用語に変えられて理解されなければならない。また、本発明で使われる一般的な用語は、事前定義によって、又は前後文脈上によって解釈されなければならず、過度に縮小された意味で解釈されてはならない。
【００２６】
また、本明細書で使われる単数の表現は、文脈上明白に異なる意味ではない限り、複数の表現を含む。本出願で、「構成される」又は「含む」などの用語は、明細書上に記載された多様な構成要素、又は多様なステップを必ず全部含むと解釈されてはならず、そのうち一部構成要素又は一部ステップは含まれないこともあり、又は追加的な構成要素又はステップをさらに含むことができると解釈されなければならない。
【００２７】
また、本明細書で使われる第１、第２などのように序数を含む用語は、多様な構成要素の説明に使われることができるが、構成要素は、用語により限定されてはならない。用語は、一つの構成要素を他の構成要素から区別する目的にのみ使われる。例えば、本発明の権利範囲を外れない限り、第１の構成要素は第２の構成要素と命名されることができ、同様に、第２の構成要素も第１の構成要素と命名されることができる。
【００２８】
一構成要素が他の構成要素に「連結されている」又は「接続されている」と言及された場合、その他の構成要素に直接的に連結されており、又は接続されていることもあるが、中間に他の構成要素が存在することもできる。反面、一構成要素が他の構成要素に「直接連結されている」又は「直接接続されている」と言及された場合、中間に他の構成要素が存在しないと理解されなければならない。
【００２９】
以下、添付図面を参照して本発明による好ましい実施例を詳細に説明し、図面符号に関係なしに同じ又は類似の構成要素は同じ参照番号を付与し、これに対する重複する説明は省略する。また、本発明を説明するにあたり、関連した公知技術に対する具体的な説明が本発明の要旨を不明にすると判断される場合にはその詳細な説明を省略する。また、添付図面は、本発明の思想を容易に理解することができるようにするためのものであり、添付図面によって本発明の思想が制限されると解釈されてはならないことを留意しなければならない。本発明の思想は、添付図面外に全ての変更、均等物乃至代替物にまで拡張されると解釈されなければならない。
【００３０】
以下、端末という用語が使われるが、端末は、ＵＥ(Ｕｓｅｒ Ｅｑｕｉｐｍｅｎｔ)、ＭＥ(Ｍｏｂｉｌｅ Ｅｑｕｉｐｍｅｎｔ)、ＭＳ(Ｍｏｂｉｌｅ Ｓｔａｔｉｏｎ)、ＵＴ(Ｕｓｅｒ Ｔｅｒｍｉｎａｌ)、ＳＳ(Ｓｕｂｓｃｒｉｂｅｒ Ｓｔａｔｉｏｎ)、ＭＳＳ(Ｍｏｂｉｌｅ Ｓｕｂｓｃｒｉｂｅｒ Ｓｔａｔｉｏｎ)、無線機器(Ｗｉｒｅｌｅｓｓ Ｄｅｖｉｃｅ)、携帯機器(Ｈａｎｄｈｅｌｄ Ｄｅｖｉｃｅ)、ＡＴ(Ａｃｃｅｓｓ Ｔｅｒｍｉｎａｌ)と呼ばれることもある。
【００３１】
ＩＥＥＥ８０２.１１ｗｉｒｅｌｅｓｓ ｌｏｃａｌ ａｒｅａ ｎｅｔｗｏｒｋ(ＷＬＡＮ)標準は、２.４.ＧＨｚ ｏｒ ５ＧＨｚで非認可帯域(ｕｎｌｉｃｅｎｓｅｄ ｂａｎｄ)を利用した１１Ｍｂｐｓ(ＩＥＥＥ８０２.１１ｂ)、５４Ｍｂｐｓ(ＩＥＥＥ８０２.１１ａ)の送信速度を提供する。
【００３２】
ＩＥＥＥ８０２.１１ｇは、２.４ＧＨｚでＯＦＤＭ(Ｏｒｔｈｏｇｏｎａｌ ｆｒｅｑｕｅｎｃｙ−ｄｉｖｉｓｉｏｎ ｍｕｌｔｉｐｌｅｘｉｎｇ)を適用し、５４Ｍｂｐｓの送信速度を提供する。
【００３３】
ＩＥＥＥ８０２.１１ｎは、ＭＩＭＯ−ＯＦＤＭを適用し、４個の空間ストリーム(ｓｐａｔｉａｌ ｓｔｒｅａｍ)に対して３００Ｍｂｐｓの送信速度を提供する。ＩＥＥＥ８０２.１１ｎではチャネル帯域幅(ｃｈａｎｎｅｌ ｂａｎｄｗｉｄｔｈ)を４０ＭＨｚまでサポートし、この場合、６００Ｍｂｐｓの送信速度を提供する。
【００３４】
ＴＶホワイトスペース(ＴＶ Ｗｈｉｔｅ ｓｐａｃｅ)は、放送ＴＶシステム(ｂｒｏａｄｃａｓｔ ＴＶ)に割り当てられたＶＨＦ帯域(５４〜６０、７６〜８８、１７４〜２１６ＭＨｚ)とＵＨＦ帯域(４７０〜６９８ＭＨｚ)を含み、該当周波数帯域で動作する認可されたデバイス(ＴＶ放送及び無線マイク等)の通信を阻害しないという条件下で非認可されたデバイスに対して使用が許可された周波数帯域を意味する。
【００３５】
一方、ＴＶＷＳは、ＴＶ Ｗｈｉｔｅ Ｓｐａｃｅ(ホワイトスペース)の略語であり、ホワイトスペースとは、ＴＶ放送用に分配されたＶＨＦ及びＵＨＦ周波数帯域で放送事業者が使用しない空いている周波数帯域を意味し、誰でも政府の電波規制に対する条件を満たすと、使用することができる非認可帯域を意味する。即ち、ＴＶホワイトスペースは、放送のための周波数情報を意味する。具体的に説明すると、空間的には放送事業者間の周波数干渉を懸念して空いておいた帯域と地域別に使われない周波数帯域や放送用電波が達し得ない地域を意味し、時間的には夜明けに放送業者が放送を送出しない時間帯に空いている放送周波数を意味する。放送業者の顧客であるＴＶ視聴者に干渉を与えて受信を妨害しては絶対だめであり、また、この帯域の一部を使用して小出力で通信する無線マイク装置に影響を与えてもならない。
【００３６】
５１２〜６０８ＭＨｚ、６１４〜６９８ＭＨｚでは特殊ないくつかの場合を除いては、全ての非認可されたデバイスに動作が許容されているが、５４〜６０ＭＨｚ、７６〜８８ＭＨｚ、１７４〜２１６ＭＨｚ、４７０〜５１２ＭＨｚ帯域は、固定デバイス(ｆｉｘｅｄ ｄｅｖｉｃｅ)間の通信にのみ許容された。固定デバイスとは、決められた位置でのみ送信を実行するデバイスを意味する。
【００３７】
ＩＥＥＥ８０２.１１ＴＶＷＳ端末は、ＴＶホワイトスペーススペクトラム(ＴＶ Ｗｈｉｔｅ ｓｐａｃｅ ｓｐｅｃｔｒｕｍ)でＩＥＥＥ８０２.１１ＭＡＣ ａｎｄ ＰＨＹを使用して動作する非認可されたデバイスを意味する。
【００３８】
ＴＶ Ｗｈｉｔｅ ｓｐａｃｅの使用を所望する非認可されたユーザは、認可されたユーザに対する保護(ｐｒｏｔｅｃｔｉｏｎ)機能を提供しなければならない。したがって、ＴＶ帯域で送信を開始する前に必ず認可されたユーザが該当帯域を占有しているかどうかを確認するようにする。
【００３９】
このために、非認可されたデバイスは、インターネットあるいは専用回線を介して位置情報データベース(ｇｅｏ−ｌｏｃａｔｉｏｎ ｄａｔａ ｂａｓｅ)に接続して該当地域で使用可能なチャネルリスト情報を取得しなければならない。位置情報データベースは、自分に登録された認可されたデバイスの情報と認可されたデバイスの位置情報及び使用時間によって動的に変化するチャネル使用情報を格納して管理するデータベースである。
【００４０】
ステーション(ＳＴＡ；Ｓｔａｔｉｏｎ)は、スペクトラム感知メカニズム(ｓｐｅｃｔｒｕｍ ｓｅｎｓｉｎｇ ｍｅｃｈａｎｉｓｍ)を実行する。スペクトラム感知メカニズムとしてエネルギー検出(Ｅｎｅｒｇｙ Ｄｅｔｅｃｔｉｏｎ)方式、特徴検出(Ｆｅａｔｕｒｅ Ｄｅｔｅｃｔｉｏｎ)方式などが活用される。受信信号の強度が一定値以上の場合、優先ユーザ(ｉｎｃｕｍｂｅｎｔ ｕｓｅｒ)が使用中であると判断し、又はＤＴＶプリアンブル(ＤＴＶ Ｐｒｅａｍｂｌｅ)が検出される場合、優先ユーザが使用中であると判断する。そして、現在使用中であるチャネルと隣接しているチャネルで優先ユーザが使用中であると判断されると、ＳＴＡとアクセスポイント(ＡＰ；Ａｃｃｅｓｓ Ｐｏｉｎｔ)は送信電力を低くしなければならない。
【００４１】
図１は、本明細書の一実施例に係る共存(ｃｏｅｘｉｓｔｅｎｃｅ)システムを示すブロック図である。図１に示すように、共存システムは、機能によって共存イネイブラ(ＣＥ：Ｃｏｅｘｉｓｔｅｎｃｅ Ｅｎａｂｌｅｒ)２００、共存マネージャ(ＣＭ：Ｃｏｅｘｉｓｔｅｎｃｅ Ｍａｎａｇｅｒ)３００、及び共存発見及び管理サーバ(ＣＤＩＳ：Ｃｏｅｘｉｓｔｅｎｃｅ Ｄｉｓｃｏｖｅｒｙ ａｎｄ Ｉｎｆｏｒｍａｔｉｏｎ Ｓｅｒｖｅｒ)又は共存データベース(ＣＤＢ：Ｃｏｅｘｉｓｔｅｎｃｅ Ｄａｔａｂａｓｅ)４００を含む。
【００４２】
共存マネージャ(ＣＭ)３００と共存イネイブラ(ＣＥ)２００は、ＴＶ Ｗｈｉｔｅ ｓｐａｃｅで非認可状態で動作する異なる無線システムや無線事業者間の共存のために定義された論理的エンティティ(ｌｏｇｉｃａｌ ｅｎｔｉｔｙ)である。共存マネージャ(ＣＭ)３００は、ＴＶＷＳデータベースとのインターフェースを有しながらＴＶＷＳで動作する異なるシステム及び事業者間共存のために共存と関連した政策、ガイドラインを提供しながら自分に連結された共存イネイブラ(ＣＥ)２００間のインターフェース問題を解決するためにリソース割当を実行することができる客体である。
【００４３】
共存イネイブラ(ＣＥ)２００は、ＴＶＢＤネットワーク又はデバイス１００とのインターフェースを有し、共存マネージャ(ＣＭ)３００から受信した情報及び命令をＴＶＢＤネットワーク又はデバイス１００に伝達する役割を遂行する客体である。本明細書ではＳＴＡが共存イネイブラ(ＣＥ)２００の機能を遂行することができ、これら複数の共存イネイブラ(ＣＥ)２００を制御することができる上位客体として共存マネージャ(ＣＭ)３００のような管理エンティティが存在する共存ネットワーク構造を扱う。
【００４４】
共存イネイブラ(ＣＥ)２００は、共存マネージャ(ＣＭ)３００から共存に関連された情報や命令を受信する。受信した情報や命令は、該当メッセージが要求するＴＶＢＤネットワーク又はデバイス１００の動作のために、共存イネイブラ(ＣＥ)２００がメディアに特定(ｍｅｄｉａ ｓｐｅｃｉｆｉｃ)形態の情報あるいは命令に変換してＴＶＢＤネットワーク又はデバイス１００に伝達する。同様に、ＴＶＢＤネットワーク又はデバイス１００から受信した情報は、共存イネイブラ(ＣＥ)２００により共存システムで定義されたメッセージ形態に変換されて共存マネージャ(ＣＭ)３００に送信されることができる。共存イネイブラ(ＣＥ)２００は、ＴＶＢＤネットワーク又はデバイス１００内に位置し、共存のための情報、命令が伝達されるためにＴＶＢＤネットワーク又はデバイス１００管理エンティティとのＳＡＰ(ｓｅｒｖｉｃｅ ａｃｃｅｓｓ ｐｏｉｎｔ)とプリミティブ(ｐｒｉｍｉｔｉｖｅ)が定義されなければならない。
【００４５】
共存マネージャ(ＣＭ)３００は、一つあるいはそれ以上の共存イネイブラ(ＣＥ)２００をサービスすることができる。共存マネージャ(ＣＭ)３００は、ＴＶＷＳデータベースのような外部エンティティあるいは自分がサービスする共存イネイブラ(ＣＥ)２００や他の共存マネージャ(ＣＭ)３００から必要な情報を取得することができる。共存マネージャ(ＣＭ)３００は、他の共存マネージャ(ＣＭ)３００と情報や命令メッセージを送受信したり、自分がサービスする共存イネイブラ(ＣＥ)２００に情報や命令を送信したりする。共存マネージャ(ＣＭ)３００は、取得した情報に基づいて共存決定(ｃｏｅｘｉｓｔｅｎｃｅ ｄｅｃｉｓｉｏｎ ｍａｋｉｎｇ)をし、自分がサービスする共存イネイブラ(ＣＥ)２００の動作チャネル、最大送信電力値を決定することなどが決定に含まれることができる。
【００４６】
ＴＶＢＤネットワーク又はデバイス１００は、ＴＶ帯域を使用する非認可されたユーザであり、デバイス又はネットワークである。例えば、ＴＶＢＤネットワーク又はデバイス１００は、ＡＰ(Ａｃｃｅｓｓ Ｐｏｉｎｔ)やＢＳ(Ｂａｓｅ Ｓｔａｔｉｏｎ)のようにマスターモードに動作するデバイスである。これらはマスターモードに動作しながら共存のために共存マネージャ(ＣＭ)３００と通信し、スレーブモードに動作するデバイスを管理/制御することができる。
【００４７】
ＣＤＩＳ４００は、共存マネージャ(ＣＭ)３００とのインターフェースを有しており、自分がサービスする共存マネージャ(ＣＭ)３００と該当共存マネージャ(ＣＭ)３００がサービスする共存イネイブラ(ＣＥ)２００に関連した情報、例えば、共存イネイブラ(ＣＥ)２００がサービスするＴＶＢＤネットワーク又はデバイス１００の位置情報(ｇｅｏ−ｌｏｃａｔｉｏｎ)やＴＶＢＤネットワーク又はデバイス１００がＴＶＷＳデータベースから取得した可用チャネルリスト情報、ＴＶＢＤネットワーク又はデバイス１００の測定(ｍｅａｓｕｒｅｍｅｎｔ)結果、共存マネージャ(ＣＭ)３００がサービスしている共存イネイブラ(ＣＥ)２００リストなどを共存マネージャ(ＣＭ)３００から取得して管理することができる。
【００４８】
ＣＤＩＳ４００は、自分がサービスする共存マネージャ(ＣＭ)３００間、及び共存イネイブラ(ＣＥ)２００間のネイバー(ｎｅｉｇｈｂｏｒ)関係を計算することができる。即ち、特定ＴＶＢＤネットワーク又はデバイス１００を考慮した時、該当ＴＶＢＤネットワーク又はデバイス１００と干渉(ｉｎｔｅｒｆｅｒｉｎｇ)関係にあるＴＶＢＤネットワーク又はデバイス１００が何であるか、及び該当ＴＶＢＤネットワーク又はデバイス１００をサービスする共存イネイブラ(ＣＥ)２００と共存マネージャ(ＣＭ)３００が何であるかを計算することができる。
【００４９】
共存サービスを使用するために、共存イネイブラ(ＣＥ)２００は、共存マネージャ(ＣＭ)３００と連結(ｃｏｎｎｅｃｔｉｏｎ)を設定し、該当共存マネージャ(ＣＭ)３００に自分を登録する。共存マネージャ(ＣＭ)３００も隣接する共存マネージャ(ＣＭ)３００と連結を設定しなければならない。共存マネージャ(ＣＭ)３００は、自分に登録された共存イネイブラ(ＣＥ)２００を管理し、共存のためのサービスを提供する。このように共存マネージャ(ＣＭ)３００が複数の共存イネイブラ(ＣＥ)２００を管理しながら共存のための意思決定を実行するトポロジー(ｔｏｐｏｌｏｇｙ)を中央集中型トポロジー(ｃｅｎｔｒａｌｉｚｅｄ ｔｏｐｏｌｏｇｙ)という。中央集中型トポロジーで意思決定者は共存マネージャ(ＣＭ)３００であるため、共存イネイブラ(ＣＥ)２００は共存マネージャ(ＣＭ)３００の意思決定にしたがう。
【００５０】
以下、共存システム内の各構成要素に対してさらに詳細に説明する。
【００５１】
共存イネイブラ(ＣＥ)２００は、共存マネージャ(ＣＭ)３００とはインターフェースＢ１で互いに連結され、共存マネージャ(ＣＭ)３００は、ＣＤＩＳ又はＣＤＢ４００とはインターフェースＢ２を介して連結され、共存マネージャ(ＣＭ)３００は、他の共存マネージャ(ＣＭ)３００′とはインターフェースＢ３で連結される。
【００５２】
また、共存イネイブラ(ＣＥ)２００は、ＴＶＢＤネットワーク又はデバイス１００とインターフェースＡを介して連結される。ここで、ＴＶＢＤネットワーク又はデバイス１００は、米国連邦通信委員会(Ｆｅｄｅｒａｌ Ｃｏｍｍｕｎｉｃａｔｉｏｎ Ｃｏｍｍｉｓｓｉｏｎ；ＦＣＣ)でＴＶホワイトスペース利用を可能にする端末を意味する。ＴＶＢＤネットワーク又はデバイス１００は、ＴＶＷＳデータベース６００とインターフェースＣを介して連結されることができる。
【００５３】
共存イネイブラ(ＣＥ)２００は、ＴＶＢＤ(ＴｅｌｅＶｉｓｉｏｎ Ｂａｎｄ Ｄｅｖｉｃｅ)ネットワーク又はデバイス１００から共存(Ｃｏｅｘｉｓｔｅｎｃｅ)に要求される情報を要求して取得することができ、共存マネージャ(ＣＭ)３００から受信された構造(ｒｅｃｏｎｆｉｇｕｒａｔｉｏｎ)変更要求/命令(ｒｅｑｕｅｓｔｓ/ｃｏｍｍａｎｄｓ)と制御情報(ｃｏｎｔｒｏｌ ｉｎｆｏｒｍａｔｉｏｎ)をＴＶＢＤ特定構造(ｒｅｃｏｎｆｉｇｕｒａｔｉｏｎ)要求/命令(ｒｅｑｕｅｓｔｓ/ｃｏｍｍａｎｄｓ)に転換してＴＶＢＤネットワーク又はデバイス１００に送ることができる。
【００５４】
共存マネージャ(ＣＭ)３００は、ＴＶＢＤネットワーク間に共存問題を解決するために、他のＣＭを探索(ｄｉｓｃｏｎｖｅｒｙ)する機能、対応する共存要求/命令と制御情報を生成し、共存イネイブラ(ＣＥ)２００に提供する共存意思決定(ｃｏｅｘｉｓｔｅｎｃｅ ｄｅｃｉｓｉｏｎ ｍａｋｉｎｇ)機能、ＣＭ間に共存のために要求される情報の交換をサポートする機能(これはＣＭを配置するにあたって階層的(ｈｉｅｒａｒｃｈｉｃａｌ)及び/又は同等な(ｐｅｅｒ−ｔｏ−ｐｅｅｒ)意思決定能力(ｃａｐａｂｉｌｉｔｉｅｓ)を含むことができる)を有することができる。
【００５５】
また、共存マネージャ(ＣＭ)３００は、共存マネージャに関する情報を共有して代表共存マネージャを選択する機能、後述するように、他のネットワークとシステム間で周波数リソースを効率的に共有するための共存ホワイトスペースマップ(Ｃｏｅｘｉｓｔｅｎｃｅ Ｗｈｉｔｅ ｓｐａｃｅ Ｍａｐ)を生成する機能、及びＴＶＷＳ共存と関連した管理を実行するにあたってネットワークオペレータ(ｏｐｅｒａｔｏｒｓ)を補助する機能を有することができる。
【００５６】
このような共存マネージャ(ＣＭ)３００は、ＡＰ(Ａｃｃｅｓｓ Ｐｏｉｎｔ)又は基地局(Ｂａｓｅ−ｓｔａｔｉｏｎ)のようなデバイスに埋め込み(ｅｍｂｅｄｄｅｄ)形態で具現されてもよく、デバイスの外部に具現されてもよい。
【００５７】
ＣＤＩＳ/ＣＤＢ４００は、機能に応じてＣＤＩＳ又はＣＤＢに示すことができる。ＣＤＩＳ/ＣＤＢ４００は、他のネットワークとシステム間で周波数リソースを効率的に共有するために、共存ホワイトスペースマップ(Ｃｏｅｘｉｓｔｅｎｃｅ Ｗｈｉｔｅ ｓｐａｃｅ Ｍａｐ)又は共存マップ(Ｃｏｅｘｉｓｔｅｎｃｅ ＭＡＰ)を生成する機能、ＴＶＷＳ共存と関連した管理を実行するにあたって複数個のオペレータ(ｏｐｅｒａｔｏｒ)を制御する機能、共存マネージャ(ＣＭ)間の通信オーバーヘッド(ｏｖｅｒｈｅａｄ)を減らし、共存問題を解決するために代表ＣＭを選出する機能を有することができる。
【００５８】
また、ＣＤＩＳ/ＣＤＢ４００は、隣接するネットワーク/システムを探索するために共存輪郭線(ｃｏｅｘｉｓｔｅｎｃｅ ｃｏｎｔｏｕｒ)を計算する機能、共存問題を解決するために共存ホワイトスペースマップ(Ｃｏｅｘｉｓｔｅｎｃｅ Ｗｈｉｔｅ ｓｐａｃｅ Ｍａｐ)又は共存マップ(Ｃｏｅｘｉｓｔｅｎｃｅ ＭＡＰ)をＴＶＤＢに合うように再設定(Ｒｅｄｉｒｅｃｔｉｏｎ)する機能、共存マネージャ(ＣＭ)間にインターフェースの開放を促進して共存マネージャ(ＣＭ)の探索をサポートする機能、及び共存を促進することができる情報を収集し総合して提供する機能を遂行することができる(これはデータストレージ、データプロセッシングを含む)。
【００５９】
ＣＤＩＳ/ＣＤＢ４００は、リソースを割り当てるにあたって全能に(ｏｍｎｉｐｏｔｅｎｔ)リソースを分け、又は仲介者(ｉｎｔｅｒｍｅｄｉａｒｙ)として共存マネージャ(ＣＭ)３００間優先権(ｐｒｉｏｒｉｔｙ)の基準を提示し、各共存マネージャ(ＣＭ)３００のリソース選択に対する調律を実行し、又はＤＢ(Ｄａｔａ Ｂａｓｅ)として共存マネージャ(ＣＭ)３００間の外部及び異種ネットワーク間情報共有媒介体として作用することができる。
【００６０】
一方、インターフェースＡは、共存イネイブラ(ＣＥ)２００とＴＶＢＤネットワーク又はデバイス１００との間のインターフェースであり、ＴＶＢＤネットワーク又はデバイス１００からは共存のために要求される情報、共存のための構成(ｃｏｎｆｉｇｕｒａｔｉｏｎ)/情報要求、共存のための構成/測定/情報応答及び必要によって他の情報が提供されることができる。共存イネイブラ(ＣＥ)２００からＴＶＢＤネットワーク又はデバイス１００に、再構成要求/命令と制御情報(ＣＭから受信された共存要求/命令と制御情報に対応する)、ＴＶＢＤネットワーク又はデバイス１００によって実行される測定値を制御することと関連した要求/命令、可能なリソースを通知する情報及び必要によって他の情報が提供されることができる。
【００６１】
インターフェースＢ１は、共存イネイブラ(ＣＥ)２００と共存マネージャ(ＣＭ)３００との間のインターフェースであり、共存イネイブラ(ＣＥ)２００から共存マネージャ(ＣＭ)３００は、共存のために要求される情報(ＴＶＢＤネットワーク又はデバイス１００から得た情報)と必要による他の情報が提供されることができる。共存マネージャ(ＣＭ)３００から共存イネイブラ(ＣＥ)２００に、共存要求/命令及び制御情報、及び必要によって他の情報が提供されることができる。
【００６２】
インターフェースＢ２は、共存マネージャ(ＣＭ)３００とＣＤＩＳ/ＣＤＢ４００との間のインターフェースであり、共存マネージャ(ＣＭ)３００からＣＤＩＳ/ＣＤＢ４００に、共存マップ(ｃｏｅｘｉｓｔｅｎｃｅ ｍａｐ)のために要求される情報、ネイバーセット(ｎｅｉｇｈｂｏｒ ｓｅｔ)のために要求される情報、登録(ｒｅｇｉｓｔｅｒ)/未登録(ｕｎｅｎｒｏｌｌｅｄ)のために要求される情報、探索(現在使われるＣＭによって取得される)のために要求される情報、共存のために要求される情報(現在使われるＣＭによって取得される)及び必要による他の情報などが提供されることができる。
【００６３】
ＣＤＩＳ/ＣＤＢ４００から共存マネージャ(ＣＭ)３００に、共存マップ(ｃｏｅｘｉｓｔｅｎｃｅ ｍａｐ)のために通知される情報、ネイバーセット(ｎｅｉｇｈｂｏｒ ｓｅｔ)(又はネイバーリスト(ｎｅｉｇｈｂｏｒ ｌｉｓｔ))のために通知される情報、代表ＣＭのために通知される情報、探索(他のＣＭによって取得される)のために要求される情報、共存(他のＣＭによって取得される)ために要求される情報及び必要による他の情報などが提供されることができる。
【００６４】
インターフェースＢ３は、共存マネージャ(ＣＭ)３００と他の共存マネージャ(ＣＭ)３００′との間のインターフェースであり、共存マネージャ(ＣＭ)３００から他の共存マネージャ(ＣＭ)３００′に、探索と共存のために要求される情報とメッセージ、登録(ｒｅｇｉｓｔｅｒ)/未登録(ｕｎｒｅｓｇｉｓｔｅｒ)(共存マネージャ(ＣＭ)から代表共存マネージャ(ＣＭ)に又はデバイスの共存マネージャ(ＣＭ)からサーバの共存マネージャ(ＣＭ)に)のために通知される情報、共存マップのために通知される情報(ＣＭから代表ＣＭに又はサーバのＣＭからデバイスのＣＭに)、政策交換/交渉に必要な情報及び必要による他の情報などが提供されることができる。
【００６５】
インターフェースＣは、ＴＶＢＤネットワーク又はデバイス１００とＴＶＷＳデータベース６００との間のインターフェースであり、ＴＶＷＳ ＤＢ６００でＴＶＢＤネットワーク又はデバイス１００に可用チャネルのために通知される情報が提供されることができる。
【００６６】
インターフェースＤは、共存マネージャ(ＣＭ)３００とオペレータマネージメントエンティティ(ＯＭＥ：Ｏｐｅｒａｔｏｒ Ｍａｎａｇｅｍｅｎｔ Ｅｎｔｉｔｙ)７００との間のインターフェースであり、ＯＭＥ７００から共存マネージャ(ＣＭ)３００に、情報と関連したネットワーク動作情報(例えば、スペクトラム政策/ネットワークを運用することと関連した制限要因)及び必要によって他の情報が提供されることができる。
【００６７】
図２は、本明細書の他の実施例に係る共存(ｃｏｅｘｉｓｔｅｎｃｅ)システムを示すブロック図である。
【００６８】
図２を参照して分かるように、共存イネイブラ２００と共存マネージャ(ＣＭ)３００は、各々、アクセスポイント(ＡＰ)及び基地局(ＢＳ：Ｂａｓｅ Ｓｔａｔｉｏｎ)に埋め込まれることができる。
【００６９】
また、ＣＤＩＳ/ＣＤＢ４００は、ＴＶＷＳデータベース６００と連結されることができる。このような連結を介してＣＤＩＳ/ＣＤＢ４００は、ＴＶＷＳデータベース６００からＴＶホワイトスペース情報を受信することができる。
【００７０】
図３は、本明細書の一実施例に係る共存(ｃｏｅｘｉｓｔｅｎｃｅ)システムが配置された例を示す。
【００７１】
図３を参照して分かるように、垂直的にはネットワークＡ及びネットワークＢが存在する。また、水平的には通信システムＡと通信システムＢと通信システムＣが存在する。通信システムＡ、通信システムＢ、通信システムＣは、互いに異なる無線接続方式、即ち、通信方式を各々利用する。例えば、通信システムＡは、セルラー通信、例えば、ＣＤＭＡ、ＧＳＭ、ＣＤＭＡ−２０００、ＷＣＤＭＡ、ＬＴＥ、ＬＴＥ−Ａｄｖａｎｃｅｄ、ＩＥＥＥ８０２.１６のようなシステムである。システムＢは、通信システムＡよりはセルカバレッジの大きさが小さいセルラーシステムである。又は、システムＢは、Ｗｉ−Ｆｉのようなシステムである。システムＣは、システムＢよりセルカバレッジの大きさが小さいセルラーシステム、例えば、フェムトセルである。通信システムＡ、通信システムＢ、通信システムＣの各々には、共存マネージャ(ＣＭ)が存在する。
【００７２】
一方、通信システムＡ、通信システムＢ、通信システムＣは、地理的にネットワークＡ内で互いに共存し、ネットワークＢ内でも互いに共存する。このように互いに共存することができるように、ＣＤＩＳ/ＣＤＢ４００は、共存マップ(Ｃｏｅｘｉｓｔｅｎｃｅ ＭＡＰ)を生成し、各々の共存マネージャ(ＣＭ)に送信することができる。
【００７３】
図４は、プロトコルスタックを示す。
【００７４】
図４を参照して分かるように、共存エンティティとＴＶＢＤエンティティが示している。共存エンティティは、ＣＥ又はＣＭである。ＴＶＢＤエンティティは、ＴＶＢＤデバイスである。
【００７５】
共存エンティティは、他のエンティティとのインターフェースのために、サービスアクセスポイント(ＳＡＰ)を使用する。
【００７６】
ＣＯＥＸ_ＳＡＰ：このＳＡＰは、共存エンティティとＴＶＢＤ管理エンティティとの間にメディア非従属的インターフェースを定義する。
【００７７】
ＣＯＥＸ_ＮＥＴ_ＳＡＰ：ローカルＴＶＢＤ上にデータ平面で送信サービスを提供する共存エンティティのメディア従属的インターフェースを定義する。これは遠隔共存エンティティとの共存情報及びメッセージの交換をサポートする。
【００７８】
ＴＶＢＤ管理エンティティは、ＣＯＥＸ_ＳＡＰプリミティブからメディア従属的ＳＡＰプリミティブに対するマッピング機能を含む。
【００７９】
ＭＡＣ状態管理コンバージェンス機能(ＭＳＧＣＦ：ＭＡＣ Ｓｔａｔｅ Ｇｅｎｅｒｉｃ Ｃｏｎｖｅｒｇｅｎｃｅ Ｆｕｎｃｔｉｏｎ)のサービスアクセスポイント(ＳＡＰ)(即ち、ＭＳＧＣＦ_ＳＡＰ)により定義されるプリミティブを使用したり、ＬＳＡＰによって定義された既存プリミティブを利用したりすることによって、データフレーム内にＩＥＥＥ８０２.１１に対する共存サービスが実行されることができる。
【００８０】
図５は、本明細書の一実施例に係る共存(ｃｏｅｘｉｓｔｅｎｃｅ)システムの動作を示す。
【００８１】
図５を参照して分かるように、共存マネージャ(ＣＭ)３００がＡＰとＢＳに埋め込まれないと示しているが、これは例示的な説明のためのものに過ぎず、共存マネージャ(ＣＭ)３００は、ＡＰとＢＳに埋め込まれてもよい。また、ＡＰ及びＢＳ内には共存イネイブラ(ＣＥ)２００が埋め込まれてもよい。
【００８２】
一方、ＡＰとＢＳは、各々、共存マネージャ(ＣＭ)３００及びＣＤＩＳ/ＣＤＢ４００、及びＴＶＷＳデータベース６００に登録する。
【００８３】
共存マネージャ(ＣＭ)３００も同様にＣＤＩＳ/ＣＤＢ４００及びＴＶＷＳデータベースに登録を実行する。
【００８４】
一方、ＣＤＩＳ/ＣＤＢ４００は、ＴＶＷＳデータベース６００から放送のためのチャネルリストを受信することができる。チャネルリストとは、放送のための周波数情報である。また、チャネルリストとは、放送の運用チャネル(ｏｐｅｒａｔｉｎｇ ｃｈａｎｎｅｌ)と送信電力制限(ｔｒａｎｓｍｉｔ ｐｏｗｅｒ ｌｉｍｉｔａｔｉｏｎ)に対する情報を含むことができる。
【００８５】
ＣＤＩＳ/ＣＤＢ４００は、ＢＳとＡＰの位置情報及び可用チャネル情報を利用することで、互いに任意地域内で共存するかどうかを確認する。互いに共存する場合、ＡＰ及びＢＳのカバレッジ半径を計算し、チャネルリスト、即ち、放送のための周波数情報に基づいて、任意地域に位置する互いに異なる種類のアクセスポイント、即ち、ＡＰとＢＳが使用することができるチャネル(又はリソース)、又は一つ以上の周波数帯域を割り当て、チャネル(又はリソース)、帯域に対する情報、例えば、共存マップ(Ｃｏｅｘｉｓｔｅｎｃｅ ＭＡＰ)を生成して送信することができる。
【００８６】
図６は、本明細書の一実施例に係る共存(ｃｏｅｘｉｓｔｅｎｃｅ)システムが配置された他の例を示す。
【００８７】
図６を参照して分かるように、共存マネージャ(ＣＭ)又はＣＳＩＳ/ＣＤＢ４００は、複数のＡＰが無線上で共存することができるように調整することができる。複数のＡＰは、インターネットのような物理接続を利用してＣＤＩＳ/ＣＤＢ４００と連結されることができる。
【００８８】
ＣＤＩＳ/ＣＤＢ４００は、ＴＶＷＳデータベース６００から前述したように放送のためのチャネル情報を取得することができる。また、ＣＤＩＳ/ＣＤＢ４００は、特定地理的領域での放送のためのチャネル情報、例えば、放送チャネルセットを取得することができる。また、ＣＤＩＳ/ＣＤＢ４００は、共存輪郭線(ｃｏｅｘｉｓｔｅｎｃｅ ｃｏｎｔｏｕｒ)を計算することができる。特に、ＴＶ放送用ホワイトスペース又はＴＶ放送用周波数上で動作する他のシステム上でネイバー探知機能を備えることができる。
【００８９】
また、ＣＤＩＳ/ＣＤＢ４００は、前述したように共存ホワイトスペースマップ又は共存マップを生成することができる。また、ＣＤＩＳ/ＣＤＢ４００は、共通クロック(ｃｏｍｍｏｎ ｃｌｏｃｋ)情報を提供することができる。また、他のシステム間に時間同期のための情報を提供することができる。
【００９０】
ＣＤＩＳ/ＣＤＢ４００は、各装置の無線範囲及び干渉範囲に対するパラメータを提供することができる。ＣＤＩＳ/ＣＤＢ４００は、前述した共存輪郭線に対するパラメータを提供することができる。ＣＤＩＳ/ＣＤＢ４００は、他のシステム間に共存のために隣接のネットワーク装置を識別することができる。ＣＤＩＳ/ＣＤＢ４００は、各ネットワークの送信電力、アンテナ高さ、他の物理パラメータに対する情報を提供することができる。
【００９１】
図７の(ａ)及び図７の(ｂ)は、ＣＤＩＳ/ＣＤＢ４００の動作を示す例示図である。
【００９２】
図７(ａ)を参照して分かるように、第１の共存マネージャ(ＣＭ１)と第２の共存マネージャ(ＣＭ２)が存在し、これらはＴＶＷＳ ＤＢ６００とＣＤＩＳ/ＣＤＢ４００と各々連結されている。第１の共存マネージャ(ＣＭ１)と第２の共存マネージャ(ＣＭ２)は、ＴＶＷＳ ＤＢ６００から位置情報と放送のための周波数情報、例えば、ホワイトスペースマップ(ＷＭ：Ｗｈｉｔｅｓｐａｃｅ ＭＡＰ)に対する情報を受信する。ホワイトスペースマップとは、ＴＶ放送用に分配されたＶＨＦ及びＵＨＦ周波数帯域で放送事業者が使用しない空いている周波数帯域に対する情報を意味する。
【００９３】
一方、ＣＤＩＳ/ＣＤＢ４００は、ＴＶＷＳ ＤＢ６００と接続され、ＴＶＷＳ ＤＢ６００から放送のための周波数情報、例えば、ホワイトスペースマップを受信することができる。そして、ＣＤＩＳ/ＣＤＢ４００は、放送のための周波数情報、例えば、ホワイトスペースマップに基づいて、前述したように、共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)を生成することができる。そして、生成された共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)を第１の共存マネージャ(ＣＭ１)と第２の共存マネージャ(ＣＭ２)に伝達することができる。
【００９４】
一方、図７(ｂ)を参照して分かるように、第１の共存マネージャ(ＣＭ１)と第２の共存マネージャ(ＣＭ２)は、ＴＶＷＳ ＤＢ６００と連結されている。そして、ＴＶＷＳ ＤＢ６００は、ＣＤＩＳ/ＣＤＢ４００と連結されることができる。
【００９５】
ＣＤＩＳ/ＣＤＢ４００は、前述した共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)をＴＶＷＳ ＤＢ６００に伝達することができ、ＴＶＷＳ ＤＢ６００は、受信した共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)を第１の共存マネージャ(ＣＭ１)と第２の共存マネージャ(ＣＭ２)に伝達することができる。この場合、ＴＶＷＳ ＤＢ６００は、受信した共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)を放送のための周波数情報、例えば、ホワイトスペースマップと仮定して伝達することができる。
【００９６】
他の方法として、ＴＶＷＳ ＤＢ６００は、受信した共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)だけでなく、放送のための周波数情報、例えば、ホワイトスペースマップを第１の共存マネージャ(ＣＭ１)と第２の共存マネージャ(ＣＭ２)に伝達することができる。この場合、第１の共存マネージャ(ＣＭ１)と第２の共存マネージャ(ＣＭ２)は、受信した共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)だけでなく、放送のための周波数情報、例えば、ホワイトスペースマップを全部受信すると、このうち適切なものを選択して利用することができる。
【００９７】
図８は、共存輪郭を示す例示図である。
【００９８】
図８を参照して分かるように、ネットワークＡ、ネットワークＢ、ネットワークＣが互いに近接して存在する。各ネットワークの共存輪郭は、実線で示しており、各ネットワークの離隔距離は点線で示している。共存輪郭(Ｃｏｅｘｉｓｔｅｎｃｅ Ｃｏｎｔｏｕｒ)は、各ネットワークそのものの特性によって決定される。反面、離隔距離は、他のネットワークとの特性によって決定されることができる。図６を参照して分かるように、ネットワークＡとネットワークＢは、共存輪郭線が互いに接しており、ネットワークＡとネットワークＣの共存輪郭線は一部重なっている。
【００９９】
図９は、図８の環境で共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)の例を示す。
【０１００】
図９の右側上段に示すように、チャネル１からチャネル６が存在すると仮定する。この時、チャネル１及びチャネル２は、放送のための周波数情報、例えば、ホワイトスペースマップによると、放送のために使用中であるチャネルと仮定する。
【０１０１】
ＣＤＩＳ/ＣＤＢ４００は、図示したようにチャネル４が遊休チャネルであることを示す共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)をネットワークＡに送信する。これにより、ネットワークＡがチャネル４を使用すると決定すると、ＣＤＩＳ/ＣＤＢ４００は、チャネル３、チャネル５、チャネル６が遊休チャネルであることを示す共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)をネットワークＢに送信する。これにより、ネットワークＢが、例えば、チャネル６を使用すると決定すると、ＣＤＩＳ/ＣＤＢ４００は、チャネル３及びチャネル５が遊休チャネルであることを示す共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)をネットワークＣに送信することができる。
【０１０２】
このようにＣＤＩＳ/ＣＤＢ４００は、ネットワークＡ、Ｂ及びＣに各々共存ホワイトスペースマップ(ＣＷＭ：Ｃｏｅｘｉｓｔｅｎｃｅ Ｗｈｉｔｅ ｓｐａｃｅ ＭＡＰ)又は共存マップ(Ｃｏｅｘｉｓｔｅｎｃｅ ＭＡＰ)を送信することによって、ネットワークＡ、Ｂ及びＣが無線上で共存することができるようにする。
【０１０３】
図１０は、本明細書に開示された一実施例に係る共存マネージャ(ＣＭ)３００が共存イネイブラ(ＣＥ)２００から測定された情報を受信する過程を説明するための図面である。
【０１０４】
一実施例において、連結が確立されると(例えば、共存ピア確認(ｃｏｅｘｉｓｔｅｎｃｅ ｐｅｅｒ ｃｏｎｆｉｒｍ)の状態コードが成功である場合(ｓｕｃｃｅｓｓ))(Ｓ１１０)、共存マネージャ(ＣＭ)３００は、共存イネイブラ(ＣＥ)２００に特定チャネルリスト(ｃｈａｎｎｅｌ ｌｉｓｔ)でチャネル測定(ｃｈａｎｎｅｌ ｍｅａｓｕｒｉｎｇ)を実行することを要求することができる(Ｓ１２０)。このようなチャネル測定を要求するフレーム(ｍｅａｓｕｒｅｍｅｎｔ ｒｅｑｕｅｓｔ ｆｒａｍｅ)は、測定を要求した直後にもモニタリングを実行することができるように、対象チャネルリストと測定が行われる時間区間を含むことができる。対象チャネルは、測定の用途及び目的によって変わることができる。
【０１０５】
共存マネージャ(ＣＭ)３００は、共存イネイブラ(ＣＥ)２００がサービスするＴＶＢＤネットワーク又はデバイス１００の可用チャネルリスト(ａｖａｉｌａｂｌｅ ｃｈａｎｎｅｌ ｌｉｓｔ)を有している(維持する)。可用チャネルリストは、ＴＶＢＤネットワーク又はデバイス１００が登録された位置で使用可能なＴＶチャネルを意味する。共存マネージャ(ＣＭ)３００は、ＴＶＷＳ ＤＢ６００に接続して該当ＴＶＢＤネットワーク又はデバイス１００の可用チャネルリストを取得することができる。又は、共存マネージャ(ＣＭ)３００は、共存イネイブラ(ＣＥ)２００に要求してＴＶＢＤネットワーク又はデバイス１００が規定(ｒｅｇｕｌａｔｉｏｎ)によって周期的に取得した可用チャネルリストを受信することもできる。ＴＶＢＤネットワーク又はデバイス１００の可用チャネル(ａｖａｉｌａｂｌｅ ｃｈａｎｎｅｌ)と非可用チャネル(ｎｏｎ−ａｖａｉｌａｂｌｅ ｃｈａｎｎｅｌ)の両方ともで測定が実行されることができる。
【０１０６】
ＴＶＢＤネットワーク又はデバイス１００は、電源がオンの時、動作チャネルを決定するために又は現在動作チャネルで深刻なＱｏＳ(Ｑｕａｌｉｔｙ ｏｆ Ｓｅｒｖｉｃｅ)が発生する場合に(又は、発生することを感知する場合に)動作チャネルを変更するためにチャネル測定(ｃｈａｎｎｅｌ ｍｅａｓｕｒｅｍｅｎｔ)を実行することができる。ＴＶＢＤネットワーク又はデバイス１００は、(新たな)動作チャネルを決定するために自分の可用チャネルでチャネル測定を実行し、チャネルロード(ｃｈａｎｎｅｌ ｌｏａｄ)又はＱｏＳ情報、即ち、該当チャネルでの可用リソース(ｒｅｓｏｕｒｃｅ)の程度を計算する。
【０１０７】
共存システムで、共存マネージャ(ＣＭ)３００は、自分がサービスする共存イネイブラ(ＣＥ)２００の動作チャネルを決定する。共存マネージャ(ＣＭ)３００は、ＴＶ帯域で任意に動作チャネルを配分して割り当てたり、各共存イネイブラ(ＣＥ)２００がサービスするＴＶＢＤネットワーク又はデバイス１００間の干渉(ｉｎｔｅｒｆｅｒｅｎｃｅ)関係と可用チャネルリストを使用して効率的に動作チャネルを割り当てたりする。共存イネイブラ(ＣＥ)２００が割当を受けた動作チャネルと可用チャネルの共通集合領域で共存イネイブラ(ＣＥ)２００がサービスするＴＶＢＤネットワーク又はデバイス１００が動作することができる。ＴＶＢＤネットワーク又はデバイス１００が共存マネージャ(ＣＭ)３００から共存イネイブラ(ＣＥ)２００に割り当てられた動作チャネル以外のチャネルに移動することを所望する時には、独自的に動作チャネルを変更することができず、必ず共存マネージャ(ＣＭ)３００からの動作チャネル割当が新たに変更されなければならない。
【０１０８】
共存マネージャ(ＣＭ)３００は、自分に登録された共存イネイブラ(ＣＥ)２００に一定時間区間中、特定チャネルでチャネルロードを測定することを要求することができる。これは、共存システムに参加し、又は共存システムから脱退するＴＶＢＤネットワーク又はデバイス１００と可変する周辺ネットワークとチャネル環境、可変するＴＶＢＤネットワーク又はデバイス１００のトラフィックロードによって共存ネットワークが動的に変化するため、このようなチャネル情報を収集して効率的なリソース割当を実行するためのことである。
【０１０９】
共存マネージャ(ＣＭ)３００は、チャネルロードを測定するチャネル番号と測定時間を決定して共存イネイブラ(ＣＥ)２００に測定要求(ｍｅａｓｕｒｅｍｅｎｔ ｒｅｑｕｅｓｔ)メッセージを送信する。一実施例において、測定要求フォーマットは、以下の表１のように定義されることができる。
【０１１０】
【表１】
2013546246.tif 000003
【０１１１】
情報タイプ(Ｉｎｆｏｒｍａｔｉｏｎ ｔｙｐｅ)は、共存測定(ｃｏｅｘｉｓｔｅｎｃｅ ｍｅａｓｕｒｅｍｅｎｔ)であり、他の共存フレームと区分される。測定タイプ(Ｍｅａｓｕｒｅｍｅｎｔ ｔｙｐｅ)は、チャネルロード情報(ｃｈａｎｎｅｌ ｌｏａｄ ｉｎｆｏｒｍａｔｉｏｎ)であり、他の測定フレームと区分される。測定開始時間(Ｍｅａｓｕｒｅｍｅｎｔ ｓｔａｒｔ ｔｉｍｅ)は、要求された測定が開始される時間であり、０の場合は要求フレームを受信すると直ちに測定を開始することを意味する。測定期間(Ｍｅａｓｕｒｅｍｅｎｔ ｄｕｒａｔｉｏｎ)は、測定時間区間を意味する。チャネル番号(Ｃｈａｎｎｅｌ ｎｕｍｂｅｒ)は、測定する対象チャネル番号を意味する。例えば、測定を実行するＴＶチャネル番号又はＴＶＢＤネットワーク又はデバイス１００の動作チャネルである。８０２.１１システムの場合、ＴＶＢＤネットワーク又はデバイス１００の動作チャネルは、動作クラス(ｏｐｅｒａｔｉｎｇ ｃｌａｓｓ)とチャネル番号(ｃｈａｎｎｅｌ ｎｕｍｂｅｒ)の組合せで表すことができる。
【０１１２】
測定要求を受信した共存イネイブラ(ＣＥ)２００は、チャネル番号フィールドで指示するＴＶチャネルでチャネルロードを測定し(Ｓ１３０)、測定されたチャネルロード値を共存マネージャ(ＣＭ)３００に報告する(Ｓ１４０)。測定報告フォーマットは、以下の表２のように定義されることができる。
【０１１３】
【表２】
2013546246.tif 000004
【０１１４】
情報タイプ(Ｉｎｆｏｒｍａｔｉｏｎ ｔｙｐｅ)は、共存測定(ｃｏｅｘｉｓｔｅｎｃｅ ｍｅａｓｕｒｅｍｅｎｔ)であり、他の共存フレームと区分される。測定タイプ(Ｍｅａｓｕｒｅｍｅｎｔ ｔｙｐｅ)は、チャネルロード情報(ｃｈａｎｎｅｌ ｌｏａｄ ｉｎｆｏｒｍａｔｉｏｎ)であり、他の測定フレームと区分される。測定開始時間(Ａｃｔｕａｌ ｍｅａｓｕｒｅｍｅｎｔ ｓｔａｒｔ ｔｉｍｅ)は、実際にＴＶＢＤネットワーク又はデバイス１００が測定を開始すた時間を意味する。測定期間(Ｍｅａｓｕｒｅｍｅｎｔ ｄｕｒａｔｉｏｎ)は、実際にＴＶＢＤネットワーク又はデバイス１００が測定を実行した時間区間を意味する。チャネル番号(Ｃｈａｎｎｅｌ ｎｕｍｂｅｒ)は、実際にＴＶＢＤネットワーク又はデバイス１００が測定した対象チャネル番号を意味する。チャネル番号(Ｃｈａｎｎｅｌ ｎｕｍｂｅｒ)は、例えば、測定を実行したＴＶチャネル番号又はＴＶＢＤネットワーク又はデバイス１００の動作チャネルである。８０２.１１システムの場合、ＴＶＢＤネットワーク又はデバイス１００の動作チャネルは、動作クラス(ｏｐｅｒａｔｉｎｇ ｃｌａｓｓ)とチャネル番号(ｃｈａｎｎｅｌ ｎｕｍｂｅｒ)の組合せで表すことができる。
【０１１５】
チャネルロード(ｃｈａｎｎｅｌ ｌｏａｄ)は、チャネル番号フィールドで指示するＴＶチャネルで測定されたチャネルロードを意味する。例えば、８０２.１１システムで、チャネルロードは、測定区間で測定された使用時間(ｂｕｓｙ ｔｉｍｅ)の比率(ｐｒｏｐｏｒｔｉｏｎ)で計算することができる。即ち、チャネルロードは、以下の数式１のように計算することができ、例えば、０〜２５５の値を有することができる。
【０１１６】
【数１】
2013546246.tif 000005
【０１１７】
ここで、必ず共存マネージャ(ＣＭ)３００の測定要求がなくても(自動測定報告(Ａｕｔｏｎｏｍｏｕｓ ｍｅａｓｕｒｅｍｅｎｔ ｒｅｐｏｒｔ)を使用して)、ＴＶＢＤネットワーク又はデバイス１００は、チャネルロードを共存マネージャ(ＣＭ)３００に送信することができる。したがって、図９で１２０ステップは省略可能である。
【０１１８】
共存イネイブラ(ＣＥ)２００は、要求されたチャネルで測定を実行する。要求されたチャネルがない場合、共存イネイブラ(ＣＥ)２００は、自分の動作チャネルで測定を実行したり任意の使用可能チャネルで測定を実行する。この時、報告するチャネルロード情報は、測定を実行した各チャネルに対する情報を全部含み、又は自分が割当を受けようとするチャネルを優先順位の通りに含んで一部のみ送信することができる。共存イネイブラ(ＣＥ)２００から測定報告を受信した共存マネージャ(ＣＭ)３００は、チャネルロード情報を確認し、共存イネイブラ(ＣＥ)２００の動作チャネルを割り当てたり再割当したりすることができる。
【０１１９】
他の実施例において、測定要求フレームフォーマット(ｍｅａｓｕｒｅｍｅｎｔ ｒｅｑｕｅｓｔ ｆｒａｍｅ ｆｏｒｍａｔ)は、以下の表３のように定義されることができる。
【０１２０】
【表３】
2013546246.tif 000006
【０１２１】
情報タイプ(Ｉｎｆｏｒｍａｔｉｏｎ ｔｙｐｅ)フィールドの値は、例えば、３(ｍｅａｓｕｒｅｍｅｎｔ ｒｅｑｕｅｓｔ)に設定されることができる。測定要求エレメント(Ｍｅａｓｕｒｅｍｅｎｔ ｒｅｑｕｅｓｔ ｅｌｅｍｅｎｔｓ)フィールドは、一つ以上の測定要求エレメント(Ｍｅａｓｕｒｅｍｅｎｔ ｒｅｑｕｅｓｔ ｅｌｅｍｅｎｔ)を含むことができる。単一測定要求フレームで測定要求エレメント(Ｍｅａｓｕｒｅｍｅｎｔ ｒｅｑｕｅｓｔ ｅｌｅｍｅｎｔｓ)の個数と長さは、最大で許容されたＣＸＰＤＵ(Ｃｏｅｘｉｓｔｅｎｃｅ Ｐｒｏｔｏｃｏｌ Ｄａｔａ Ｕｎｉｔ)の大きさにより制限されることができる。測定要求エレメント(Ｍｅａｓｕｒｅｍｅｎｔ ｒｅｑｕｅｓｔ ｅｌｅｍｅｎｔｓ)は、測定要求を受信するＴＶＢＤネットワーク又はデバイス１００の指定された測定動作の実行要求を含むことができる。
【０１２２】
測定要求エレメント(Ｍｅａｓｕｒｅｍｅｎｔ ｒｅｑｕｅｓｔ ｅｌｅｍｅｎｔ)フォーマットは、以下の表４のように定義されることができる。
【０１２３】
【表４】
2013546246.tif 000007
【０１２４】
測定タイプ(Ｍｅａｓｕｒｅｍｅｎｔ ｔｙｐｅ)フィールドは、以下の表５のように定義されることができる。
【０１２５】
【表５】
2013546246.tif 000008
【０１２６】
測定要求エレメント(Ｍｅａｓｕｒｅｍｅｎｔ ｒｅｑｕｅｓｔ ｅｌｅｍｅｎｔ)で測定タイプ(Ｍｅａｓｕｒｅｍｅｎｔ ｔｙｐｅ)がＴＶＢＤ検出(ＴＶＢＤ Ｄｅｔｅｃｔｉｏｎ)を示すことができる。ＴＶＢＤ検出(ＴＶＢＤ Ｄｅｔｅｃｔｉｏｎ)エレメントに対応する測定要求(ｍｅａｓｕｒｅｍｅｎｔ ｒｅｑｕｅｓｔ)フィールドは、以下の表６のように定義されることができる。
【０１２７】
【表６】
2013546246.tif 000009
【０１２８】
測定開始時間(Ｍｅａｓｕｒｅｍｅｎｔ Ｓｔａｒｔ Ｔｉｍｅ)フィールドは、要求された測定が開始される時間に設定される。０の値は、要求された測定が直ちに開始されることを示す。測定期間(Ｍｅａｓｕｒｅｍｅｎｔ Ｄｕｒａｔｉｏｎ)フィールドは、時間単位(ＴＵｓ；Ｔｉｍｅ Ｕｎｉｔｓ)で表現される要求された測定の期間に設定される。ＴＶチャネル番号(ＴＶ Ｃｈａｎｎｅｌ Ｎｕｍｂｅｒｓ)は、測定要求が適用されるＴＶチャネル番号を示す。チャネル番号(Ｃｈａｎｎｅｌ Ｎｕｍｂｅｒ)は、各国家又は地域で異なるように定義されることができる。
【０１２９】
一方、測定要求エレメント(Ｍｅａｓｕｒｅｍｅｎｔ ｒｅｑｕｅｓｔ ｅｌｅｍｅｎｔ)で測定タイプ(Ｍｅａｓｕｒｅｍｅｎｔ ｔｙｐｅ)が主ユーザ検出要求(Ｐｒｉｍａｒｙ Ｕｓｅｒ Ｄｅｔｅｃｔｉｏｎ要求)を示すことができる。主ユーザ検出エレメントに対応する測定要求フィールドは、以下の表７のように定義されることができる。
【０１３０】
【表７】
2013546246.tif 000010
【０１３１】
測定開始時間(Ｍｅａｓｕｒｅｍｅｎｔ Ｓｔａｒｔ Ｔｉｍｅ)フィールドは、要求された測定が開始される時間に設定される。０の値は、要求された測定が直ちに開始されることを示す。測定期間(Ｍｅａｓｕｒｅｍｅｎｔ Ｄｕｒａｔｉｏｎ)フィールドは、時間単位(ＴＵｓ；Ｔｉｍｅ Ｕｎｉｔｓ)で表現される要求された測定の期間に設定される。スペクトラム感知閾値(Ｓｐｅｃｔｒｕｍ Ｓｅｎｓｉｎｇ Ｔｈｒｅｓｈｏｌｄ)は、主ユーザを検出するためのエネルギー検出閾値を示し、ｄＢｍで表現される。ＴＶチャネル番号(ＴＶ Ｃｈａｎｎｅｌ Ｎｕｍｂｅｒｓ)は、測定要求が適用されるＴＶチャネル番号を示す。チャネル番号(Ｃｈａｎｎｅｌ Ｎｕｍｂｅｒ)は、各国家又は地域で異なるように定義されることができる。
【０１３２】
また、測定報告フレームフォーマット(ｍｅａｓｕｒｅｍｅｎｔ ｒｅｐｏｒｔ ｆｒａｍｅ ｆｏｒｍａｔ)は、以下の表８のように定義されることができる。
【０１３３】
【表８】
2013546246.tif 000011
【０１３４】
測定報告の情報タイプ(Ｉｎｆｏｒｍａｔｉｏｎ ｔｙｐｅ)フィールドの値は、４に設定されることができる。測定報告エレメント(Ｍｅａｓｕｒｅｍｅｎｔ ｒｅｐｏｒｔ ｅｌｅｍｅｎｔｓ)フィールドは、一つ以上の測定報告エレメント(Ｍｅａｓｕｒｅｍｅｎｔ ｒｅｐｏｒｔ ｅｌｅｍｅｎｔ)を含むことができる。単一測定報告書フレームで測定報告エレメント(Ｍｅａｓｕｒｅｍｅｎｔ ｒｅｐｏｒｔ ｅｌｅｍｅｎｔｓ)の個数と長さは、最大で許容されたＣＸＰＤＵの大きさにより制限されることができる。
【０１３５】
測定報告エレメント(Ｍｅａｓｕｒｅｍｅｎｔ ｒｅｐｏｒｔ ｅｌｅｍｅｎｔｓ)フォーマットは、以下の表９のように定義されることができる。
【０１３６】
【表９】
2013546246.tif 000012
【０１３７】
測定タイプ(Ｍｅａｓｕｒｅｍｅｎｔ ｔｙｐｅ)フィールドは、前述した表５のように定義されることができる。
【０１３８】
測定要求エレメント(Ｍｅａｓｕｒｅｍｅｎｔ ｒｅｑｕｅｓｔ ｅｌｅｍｅｎｔ)で測定タイプ(Ｍｅａｓｕｒｅｍｅｎｔ ｔｙｐｅ)がＴＶＢＤ検出(ＴＶＢＤ Ｄｅｔｅｃｔｉｏｎ)を示すことができる。ＴＶＢＤ検出(ＴＶＢＤ Ｄｅｔｅｃｔｉｏｎ)エレメントに対応する測定報告(ｍｅａｓｕｒｅｍｅｎｔ ｒｅｐｏｒｔ)フィールドは、以下の表１０のように定義されることができる。
【０１３９】
【表１０】
2013546246.tif 000013
【０１４０】
実質的な測定開始時間(Ａｃｔｕａｌ Ｍｅａｓｕｒｅｍｅｎｔ Ｓｔａｒｔ Ｔｉｍｅ)フィールドは、ＴＶＢＤ測定が開始された時間に設定される。測定期間(Ｍｅａｓｕｒｅｍｅｎｔ Ｄｕｒａｔｉｏｎ)フィールドは、時間単位(ＴＵｓ；Ｔｉｍｅ Ｕｎｉｔｓ)で表現されるＴＶＢＤ報告が測定される中の期間に設定される。測定ＴＶＢＤアドレス(Ｍｅａｓｕｒｉｎｇ ＴＶＢＤ Ａｄｄｒｅｓｓ)は、実際に測定を実行したＴＶＢＤのマックアドレス(ＭＡＣ Ａｄｄｒｅｓｓ)で設定される。ＴＶＢＤ検出報告サブエレメント(ＴＶＢＤ Ｄｅｔｅｃｔｉｏｎ Ｒｅｐｏｒｔ Ｓｕｂｅｌｅｍｅｎｔ)フィールドは、繰り返されることができる。
【０１４１】
ＴＶＢＤ検出報告サブエレメント(ＴＶＢＤ Ｄｅｔｅｃｔｉｏｎ Ｒｅｐｏｒｔ Ｓｕｂｅｌｅｍｅｎｔ)は、検出されたＴＶＢＤを示す。ＴＶＢＤ検出報告サブエレメント(ＴＶＢＤ Ｄｅｔｅｃｔｉｏｎ Ｒｅｐｏｒｔ Ｓｕｂｅｌｅｍｅｎｔ)フィールドは、以下の表１１のように定義されることができる。
【０１４２】
【表１１】
2013546246.tif 000014
【０１４３】
検出されたＴＶＢＤアドレス(Ｄｅｔｅｃｔｅｄ ＴＶＢＤ Ａｄｄｒｅｓｓ)は、測定されたチャネルで検出されたＴＶＢＤネットワーク又はデバイス１００のＭＡＣアドレスに設定される。検出されたＴＶＢＤデバイスタイプ(Ｄｅｔｅｃｔｅｄ ＴＶＢＤ Ｔｙｐｅ)フィールドは、以下の表１２のように定義されることができる。
【０１４４】
【表１２】
2013546246.tif 000015
【０１４５】
ＲＣＰＩは、受信チャネル電力(ｒｅｃｅｉｖｅｄ ｃｈａｎｎｅｌ ｐｏｗｅｒ)をｄＢｍの大きさ(ｓｃａｌｅ)で表す。検出されたＴＶＢＤのＣＥ識別子(ＣＥ Ｉｄｅｎｔｉｆｉｅｒ ｏｆ ｄｅｔｅｃｔｅｄ ＴＶＢＤ)は、共存イネイブラ(ＣＥ)２００の固有な識別子に設定される。共存イネイブラ(ＣＥ)２００は、検出されたＴＶＢＤネットワーク又はデバイス１００に存在し、又は検出されたＴＶＢＤネットワーク又はデバイス１００をサービスするＴＶＢＤネットワーク又はデバイス１００に存在することができる。チャネル番号(Ｃｈａｎｎｅｌ Ｎｕｍｂｅｒｓ)は、測定するＴＶＢＤネットワーク又はデバイス１００が実際に測定を実行するチャネル番号に設定される。チャネル番号(Ｃｈａｎｎｅｌ Ｎｕｍｂｅｒｓ)は、対応するＴＶＢＤ要求のチャネル番号(Ｃｈａｎｎｅｌ Ｎｕｍｂｅｒｓ)フィールドの値に一致(ｍａｔｃｈ)されることができる。
【０１４６】
測定要求エレメント(Ｍｅａｓｕｒｅｍｅｎｔ ｒｅｑｕｅｓｔ ｅｌｅｍｅｎｔ)で測定タイプ(Ｍｅａｓｕｒｅｍｅｎｔ ｔｙｐｅ)が主ユーザ検出(Ｐｒｉｍａｒｙ Ｕｓｅｒ Ｄｅｔｅｃｔｉｏｎ)を示すことができる。主ユーザ検出(Ｐｒｉｍａｒｙ Ｕｓｅｒ Ｄｅｔｅｃｔｉｏｎ)エレメントに対応する測定報告(ｍｅａｓｕｒｅｍｅｎｔ ｒｅｐｏｒｔ)フィールドは、以下の表１３のように定義されることができる。
【０１４７】
【表１３】
2013546246.tif 000016
【０１４８】
実質的な測定開始時間(Ａｃｔｕａｌ Ｍｅａｓｕｒｅｍｅｎｔ Ｓｔａｒｔ Ｔｉｍｅ)フィールドは、ＴＶＢＤ測定が開始された時間に設定される。測定期間(Ｍｅａｓｕｒｅｍｅｎｔ Ｄｕｒａｔｉｏｎ)フィールドは、時間単位(ＴＵｓ；Ｔｉｍｅ Ｕｎｉｔｓ)で表現されるＴＶＢＤ報告が測定される中の期間に設定される。チャネル番号(Ｃｈａｎｎｅｌ Ｎｕｍｂｅｒ)は、優先ユーザ(ｉｎｃｕｍｂｅｎｔ ｕｓｅｒ)が検出されたチャネル番号に設定される。チャネル番号(Ｃｈａｎｎｅｌ Ｎｕｍｂｅｒｓ)は、対応するＴＶＢＤ要求のチャネル番号(Ｃｈａｎｎｅｌ Ｎｕｍｂｅｒｓ)フィールドの値に一致(ｍａｔｃｈ)されることができる。
【０１４９】
主ユーザタイプ(Ｐｒｉｍａｒｙ Ｕｓｅｒ Ｔｙｐｅ)フィールドは、検出された主ユーザであり、以下の表１４のように定義されることができる。
【０１５０】
【表１４】
2013546246.tif 000017
【０１５１】
受信電力(Ｒｅｃｅｉｖｅｄ Ｐｏｗｅｒ)は、検出された優先ユーザ(ｉｎｃｕｍｂｅｎｔ ｕｓｅｒ)から受信された電力をｄＢｍで表したものである。
【０１５２】
図１１ａは、本明細書に開示された一実施例に係る共存測定要求のプリミティブの意味(ｓｅｍａｎｔｉｃｓ)を示す図面である。
【０１５３】
ＣＯＥＸ_ｍｅａｓｕｒｅｍｅｎｔ.ｒｅｑｕｅｓｔは、測定情報を取得するために共存ユーザにより使われる。ＣＯＥＸ_ｍｅａｓｕｒｅｍｅｎｔ.ｒｅｑｕｅｓｔのパラメータは。以下の表１５のように定義される。
【０１５４】
【表１５】
2013546246.tif 000018
【０１５５】
ＣＯＥＸ_ｍｅａｓｕｒｅｍｅｎｔ.ｒｅｑｕｅｓｔは、ローカル共存エンティティ又はリモート共存エンティティから測定情報を取得するために共存ユーザにより生成される。要求の目的地がローカル共存エンティティそのものである場合、ローカル共存エンティティは、ＣＯＥＸ_Ｍｅａｓｕｒｅｍｅｎｔ.ｃｏｎｆｉｒｍとして応答する。要求の目的地がリモート共存エンティティである場合、ローカル共存エンティティは、リモート共存エンティティに対する対応する測定要求(Ｍｅａｓｕｒｅｍｅｎｔ Ｒｅｑｕｅｓｔ)メッセージを生成することができる。
【０１５６】
図１１ｂは、本明細書に開示された一実施例に係る共存測定通知のプリミティブの意味(ｓｅｍａｎｔｉｃｓ)を示す図面である。
【０１５７】
ＣＯＥＸ_Ｍｅａｓｕｒｅｍｅｎｔ.ｉｎｄｉｃａｔｉｏｎは、共存ユーザに同等な(ｐｅｅｒ)共存エンティティからの測定要求(Ｍｅａｓｕｒｅｍｅｎｔ Ｒｅｑｕｅｓｔ)メッセージの受信を知らせるために共存エンティティにより使われる。ＣＯＥＸ_Ｍｅａｓｕｒｅｍｅｎｔ.ｉｎｄｉｃａｔｉｏｎのパラメータは、以下の表１６のように定義される。
【０１５８】
【表１６】
2013546246.tif 000019
【０１５９】
ＣＯＥＸ_Ｍｅａｓｕｒｅｍｅｎｔ.ｒｅｑｕｅｓｔメッセージが受信される時、共存ユーザに知らせるために共存エンティティにより使われる。共存ユーザは、インジケイション(ｉｎｄｉｃａｔｉｏｎ)が受信されると、ＣＯＥＸ_ｍｅａｓｕｒｅｍｅｎｔ.ｒｅｐｏｎｓｅプリミティブ(ｐｒｉｍｉｔｉｖｅ)で応答する。
【０１６０】
図１１ｃは、本明細書に開示された一実施例に係る共存測定応答のプリミティブの意味(ｓｅｍａｎｔｉｃｓ)を示す図面である。
【０１６１】
ＣＯＥＸ_ｍｅａｓｕｒｅｍｅｎｔ.ｒｅｓｐｏｎｓｅは、測定要求(Ｍｅａｓｕｒｅｍｅｎｔ ｒｅｑｕｅｓｔ)を呼び出した共存ユーザにローカル測定情報(ｍｅａｓｕｒｅｍｅｎｔ ｉｎｆｏｒｍａｔｉｏｎ)を伝達するために共存ユーザにより使われる。ＣＯＥＸ_Ｍｅａｓｕｒｅｍｅｎｔ.ｒｅｓｐｏｎｓｅのパラメータは、以下の表１７のように定義される。
【０１６２】
【表１７】
2013546246.tif 000020
【０１６３】
受信されたＣＯＥＸ_Ｍｅａｓｕｒｅｍｅｎｔ.ｉｎｄｉｃａｔｉｏｎに対する応答として共存ユーザにより使われる。共存エンティティは、応答(ｒｅｓｐｏｎｓｅ)が受信されると、対応するＣＯＥＸ_Ｍｅａｓｕｒｅｍｅｎｔ.ｒｅｐｏｒｔメッセージを生成して目的共存エンティティに送信することができる。
【０１６４】
図１１ｄは、本明細書に開示された一実施例に係る共存測定確認のプリミティブの意味(ｓｅｍａｎｔｉｃｓ)を示す図面である。
【０１６５】
ＣＯＥＸ_Ｍｅａｓｕｒｅｍｅｎｔ.ｃｏｎｆｉｒｍは、ＣＯＥＸ_Ｍｅａｓｕｒｅｍｅｎｔ.ｒｅｑｕｅｓｔを呼び出した共存ユーザにサービス変更情報(ｍｅａｓｕｒｅｍｅｎｔ ｉｎｆｏｒｍａｔｉｏｎ)を伝達するために共存エンティティにより使われる。ＣＯＥＸ_Ｍｅａｓｕｒｅｍｅｎｔ.ｃｏｎｆｉｒｍのパラメータは、以下の表１８のように定義される。
【０１６６】
【表１８】
2013546246.tif 000021
【０１６７】
以前の共存ユーザからのＣＯＥＸ_Ｍｅａｓｕｒｅｍｅｎｔ.ｒｅｑｕｅｓｔプリミティブの結果を伝達するために、ローカル共存エンティティにより呼び出される。共存ユーザは、プリミティブを受信すると、適切な決定をし、適切な動作を実行する。しかし、ＲｅｓｕｌｔｓＣｏｄｅが「成功(Ｓｕｃｃｅｓｓ)」を示さない場合、リシーバは適切なエラー処理(ｅｒｒｏｒ ｈａｎｄｌｉｎｇ)を実行する。
【０１６８】
図１２は、本明細書に開示された他の実施例に係る共存イネイブラ(ＣＥ)２００が共存マネージャ(ＣＭ)３００から共存情報(Ｃｏｅｘｉｓｔｅｎｃｅ Ｉｎｆｏｒｍａｔｉｏｎ)を要求して受信する過程を説明するための図面である。
【０１６９】
一実施例において、ＴＶＢＤネットワーク又はデバイス１００は、電源がオンして連結が確立されると(例えば、共存ピア確認(ｃｏｅｘｉｓｔｅｎｃｅ ｐｅｅｒ ｃｏｎｆｉｒｍ)の状態コードが成功(ＳＵＣＣＥＳＳ)である場合)(Ｓ２１０)、共存マネージャ(ＣＭ)３００に成功的に登録された後、又は周辺ネットワーク環境が変化することによって共存情報要求(Ｃｏｅｘｉｓｔｅｎｃｅ Ｉｎｆｏｒｍａｔｉｏｎ Ｒｅｑｕｅｓｔ)メッセージを共存イネイブラ２００に送信し、共存イネイブラ２００は、共存マネージャ(ＣＭ)３００に送信する(Ｓ２２０)。共存情報要求メッセージは、共存マネージャ(ＣＭ)３００に動作チャネル割当を要求する役割をし、この時、自分の可用チャネルリストと可用チャネルのチャネルロードを共に送信する。共存情報要求で伝達される可用チャネルリストは、ＴＶＢＤネットワーク又はデバイス１００がＴＶＷＳ ＤＢ６００から取得した可用チャネルリストと同じ、又はそのサブセット(ｓｕｂｓｅｔ)である。共存情報要求メッセージフォーマットは、以下の表１９のように定義されることができる。
【０１７０】
【表１９】
2013546246.tif 000022
【０１７１】
情報タイプ(Ｉｎｆｏｒｍａｔｉｏｎ ｔｙｐｅ)は、共存情報(ｃｏｅｘｉｓｔｅｎｃｅ ｉｎｆｏｒｍａｔｉｏｎ)であり、他の共存フレームと区分される。ＴＶＢＤデバイスタイプ(ＴＶＢＤ ｄｅｖｉｃｅ ｔｙｐｅ)と登録地域(Ｒｅｇｉｓｔｅｒｅｄ ｌｏｃａｔｉｏｎ)は、共存マネージャ(ＣＭ)３００に共存イネイブラ(ＣＥ)２００がサービスするＴＶＢＤネットワーク又はデバイス１００の情報を知らせるための情報である。ＴＶＢＤデバイスタイプ(ＴＶＢＤ ｄｅｖｉｃｅ ｔｙｐｅ)は、以下の表２０のように定義されることができる。
【０１７２】
【表２０】
2013546246.tif 000023
【０１７３】
登録地域(Ｒｅｇｉｓｔｅｒｅｄ ｌｏｃａｔｉｏｎ)は、３次元座標で表示されるＴＶＢＤの位置情報であり、以下の表２１のようなフォーマットを有する。
【０１７４】
【表２１】
2013546246.tif 000024
【０１７５】
チャネル番号(Ｃｈａｎｎｅｌ ｎｕｍｂｅｒ)、最大電力レベル(Ｍａｘｉｍｕｍ ｐｏｗｅｒ ｌｅｖｅｌ)及びチャネルロード(Ｃｈａｎｎｅｌ ｌｏａｄ)フィールドは、ＴＶＢＤネットワーク又はデバイス１００の使用可能チャネルに対する情報を知らせるものであり、チャネルの個数によって繰り返されることができる。
【０１７６】
チャネル番号(Ｃｈａｎｎｅｌ ｎｕｍｂｅｒ)は、ＴＶＷＳ ＤＢ６００から取得した可用チャネルリストで指示するチャネル番号であり、ＴＶＢＤネットワーク又はデバイス１００が使用可能なＴＶバンド帯域を意味する。チャネル番号(Ｃｈａｎｎｅｌ ｎｕｍｂｅｒ)は、例えば、測定を実行したＴＶチャネル番号又はＴＶＢＤネットワーク又はデバイス１００の動作チャネルである。８０２.１１システムの場合、ＴＶＢＤネットワーク又はデバイス１００の動作チャネルは、動作クラス(ｏｐｅｒａｔｉｎｇ ｃｌａｓｓ)とチャネル番号(ｃｈａｎｎｅｌ ｎｕｍｂｅｒ)の組合せで表すことができる。
【０１７７】
最大電力レベル(Ｍａｘｉｍｕｍ ｐｏｗｅｒ ｌｅｖｅｌ)は、ＴＶＷＳ ＤＢ６００から取得した可用チャネルリストで指示するチャネルに該当する最大送信電力値である。
【０１７８】
チャネルロード(Ｃｈａｎｎｅｌ ｌｏａｄ)は、チャネル番号フィールドで指示するＴＶチャネルでＴＶＢＤネットワーク又はデバイス１００により測定されたチャネルロードを意味する。
【０１７９】
共存情報要求を受信した共存マネージャ(ＣＭ)３００は、各ＴＶＢＤネットワーク又はデバイス１００の可用チャネル番号と各チャネルに該当するＴＶＢＤ最大送信電力(ＴＶＢＤ ｍａｘｉｍｕｍ ｔｒａｎｓｍｉｓｓｉｏｎ ｐｏｗｅｒ)及びチャネルロードを考慮して動作チャネルを割り当てる(Ｓ２３０)。共存マネージャ(ＣＭ)３００は、各共存イネイブラ(ＣＥ)２００に割り当てられた動作チャネル情報を共存情報応答メッセージに含んで共存イネイブラ(ＣＥ)２００に送信し(Ｓ２４０)、共存イネイブラは、ＴＶＢＤに送信する。共存情報応答メッセージフォーマットは、以下の表２２のように定義されることができる。
【０１８０】
【表２２】
2013546246.tif 000025
【０１８１】
情報タイプ(Ｉｎｆｏｒｍａｔｉｏｎ ｔｙｐｅ)は、共存情報(ｃｏｅｘｉｓｔｅｎｃｅ ｉｎｆｏｒｍａｔｉｏｎ)であり、他の共存フレームと区分される。
【０１８２】
チャネル番号(Ｃｈａｎｎｅｌ ｎｕｍｂｅｒ)は、共存マネージャ(ＣＭ)３００が共存イネイブラ(ＣＥ)２００に割り当てた動作チャネル(ｏｐｅｒａｔｉｎｇ ｃｈａｎｎｅｌ)の番号であり、共存イネイブラ(ＣＥ)２００は、該当チャネル番号で所望のチャネルを選択して使用することができる。動作チャネルは、可用チャネルリストのサブセットになることができる。チャネル番号(Ｃｈａｎｎｅｌ ｎｕｍｂｅｒ)は、ＴＶチャネル番号又はＴＶＢＤの動作チャネルである。８０２.１１システムの場合、ＴＶＢＤの動作チャネルは、動作クラス(ｏｐｅｒａｔｉｎｇ ｃｌａｓｓ)とチャネル番号(ｃｈａｎｎｅｌ ｎｕｍｂｅｒ)の組合せで表すことができる。
【０１８３】
最大電力レベル(Ｍａｘｉｍｕｍ ｐｏｗｅｒ ｌｅｖｅｌ)は、共存マネージャ(ＣＭ)３００が共存イネイブラ(ＣＥ)２００に割り当てた動作チャネルで制限する最大送信電力を意味する。
【０１８４】
チャネルロード(Ｃｈａｎｎｅｌ ｌｏａｄ)は、該当チャネルのリソース可用性(ｒｅｓｏｕｒｃｅ ａｖａｉｌａｂｉｌｉｔｙ)を示すことができる多様な形態を有することができる。例えば、チャネルロード(Ｃｈａｎｎｅｌ ｌｏａｄ)は、該当チャネルの測定区間で測定された使用時間(ｂｕｓｙ ｔｉｍｅ)又は待機時間(ｉｄｌｅ ｔｉｍｅ)の割合で表し、又は該当チャネルを使用する他のユーザからの干渉レベル(ｉｎｔｅｒｆｅｒｅｎｃｅ ｌｅｖｅｌ)から予測される予想処理量(ｔｈｒｏｕｇｈｐｕｔ)などで表すことができる。
【０１８５】
チャネルロード(Ｃｈａｎｎｅｌ ｌｏａｄ)を取得した共存マネージャ(ＣＭ)３００は、ＴＶＢＤネットワーク又はデバイス１００の動作チャネルを決定する時、ＴＶＢＤネットワーク又はデバイス１００が測定したチャネルロード(Ｃｈａｎｎｅｌ ｌｏａｄ)を確認し、優先的にチャネルロード(Ｃｈａｎｎｅｌ ｌｏａｄ)が最も少ないチャネルでチャネル割当を実行する。チャネルロード(Ｃｈａｎｎｅｌ ｌｏａｄ)は、単に地理的位置(ｇｅｏ−ｌｏｃａｔｉｏｎ)とデバイスタイプ(ｄｅｖｉｃｅ ｔｙｐｅ)のみで計算されるＴＶＢＤネットワーク又はデバイス間の干渉(ｉｎｔｅｒｆｅｒｅｎｃｅ)関係(ＴＶＢＤネットワーク又はデバイス間のネイバーセットを取得する問題)の脆弱点を補完することができ、共存マネージャ(ＣＭ)３００が測定情報を含む全ての情報を管理しながら最適の動作チャネル割当の実行によるシグナリング(ｓｉｇｎａｌｉｎｇ)及び計算オーバーヘッド(ｃｏｍｐｕｔａｔｉｏｎ ｏｖｅｒｈｅａｄ)を大きく減少させることができる。チャネルロード(Ｃｈａｎｎｅｌ ｌｏａｄ)を使用し、ＴＶＢＤネットワーク又はデバイス１００が実際に測定したチャネル情報に基づいて動作チャネルに対する選好度(ｐｒｅｆｅｒｅｎｃｅ)を共存マネージャ(ＣＭ)３００に知らせることによって共存マネージャ(ＣＭ)３００のチャネル割当に対するオーバーヘッドを大幅に減らすことができる。
【０１８６】
他の実施例において、共存情報要求(Ｃｏｅｘｉｓｔｅｎｃｅ Ｉｎｆｏｒｍａｔｉｏｎ Ｒｅｑｕｅｓｔ)フレームは、以下の表２３のように定義される。
【０１８７】
【表２３】
2013546246.tif 000026
【０１８８】
情報タイプ(Ｉｎｆｏｒｍａｔｉｏｎ ｔｙｐｅ)フィールドは、共存情報要求(Ｃｏｅｘｉｓｔｅｎｃｅ Ｉｎｆｏｒｍａｔｉｏｎ Ｒｅｑｕｅｓｔ)フレームを示すために５に設定される。共存情報要求(Ｃｏｅｘｉｓｔｅｎｃｅ Ｉｎｆｏｒｍａｔｉｏｎ Ｒｅｑｕｅｓｔ)エレメントのフォーマットは、以下の表２４のように定義される。
【０１８９】
【表２４】
2013546246.tif 000027
【０１９０】
情報タイプ(Ｉｎｆｏｒｍａｔｉｏｎ ｔｙｐｅ)フィールドは、以下の表２５のように定義される。
【０１９１】
【表２５】
2013546246.tif 000028
【０１９２】
情報タイプ(Ｉｎｆｏｒｍａｔｉｏｎ ｔｙｐｅ)が動作制御(Ｏｐｅｒａｔｉｏｎ Ｃｏｎｔｒｏｌ)情報を示すことができる。動作制御(Ｏｐｅｒａｔｉｏｎ Ｃｏｎｔｒｏｌ)情報エレメントに対応する情報要求(Ｉｎｆｏｒｍａｔｉｏｎ ｒｅｑｕｅｓｔ)フィールドは、以下の表２６のように定義される。
【０１９３】
【表２６】
2013546246.tif 000029
【０１９４】
長さ(Ｌｅｎｇｔｈ)は、チャネル番号(Ｃｈａｎｎｅｌ Ｎｕｍｂｅｒ)と最大電力レベル(Ｍａｘｉｍｕｍ Ｐｏｗｅｒ Ｌｅｖｅｌ)フィールドの反復回数であるｎに対して設定される可変値である。反復回数ｎは、ＴＶＷＳ ＤＢ６００から取得される可用チャネルの個数に設定される。
【０１９５】
ＴＶＢＤデバイスタイプ(ＴＶＢＤ Ｄｅｖｉｃｅ Ｔｙｐｅ)は、前述した表１２で定義されたＴＶＢＤデバイスのタイプに設定される。登録位置(Ｒｅｇｉｓｔｅｒｅｄ Ｌｏｃａｔｉｏｎ)フィールドフォーマットは、前述した表２１により定義される。登録位置(Ｒｅｇｉｓｔｅｒｅｄ Ｌｏｃａｔｉｏｎ)情報フィールドは、経度、緯度及び高度情報を含む。
【０１９６】
チャネル番号(Ｃｈａｎｎｅｌ Ｎｕｍｂｅｒ)は、ＴＶＷＳ ＤＢ６００から最も最近取得された可用チャネルリストのＴＶチャネル番号に設定される。最大電力レベル(Ｍａｘｉｍｕｍ Ｐｏｗｅｒ Ｌｅｖｅｌ)は、符号のついた数字(ｓｉｇｎｅｄ ｎｕｍｂｅｒ)であり、１オクテットの長さを有する。最大電力レベル(Ｍａｘｉｍｕｍ Ｐｏｗｅｒ Ｌｅｖｅｌ)は、チャネル番号(Ｃｈａｎｎｅｌ Ｎｕｍｂｅｒ)フィールドにより指示されるチャネル上に送信されることができる最大送信電力をｄＢｍで表す。チャネル番号(Ｃｈａｎｎｅｌ Ｎｕｍｂｅｒ)フィールドと最大電力レベル(Ｍａｘｉｍｕｍ Ｐｏｗｅｒ Ｌｅｖｅｌ)フィールドは繰り返される。
【０１９７】
共存情報応答(Ｃｏｅｘｉｓｔｅｎｃｅ Ｉｎｆｏｒｍａｔｉｏｎ Ｒｅｓｐｏｎｓｅ)フレームは、以下の表２７のように定義される。
【０１９８】
【表２７】
2013546246.tif 000030
【０１９９】
情報タイプ(Ｉｎｆｏｒｍａｔｉｏｎ ｔｙｐｅ)フィールドは、共存情報応答(Ｃｏｅｘｉｓｔｅｎｃｅ Ｉｎｆｏｒｍａｔｉｏｎ Ｒｅｓｐｏｎｓｅ)フレームを示すために６に設定される。共存情報応答(Ｃｏｅｘｉｓｔｅｎｃｅ Ｉｎｆｏｒｍａｔｉｏｎ Ｒｅｓｐｏｎｓｅ)エレメントのフォーマットは、以下の表２８のように定義される。
【０２００】
【表２８】
2013546246.tif 000031
【０２０１】
情報タイプ(Ｉｎｆｏｒｍａｔｉｏｎ ｔｙｐｅ)フィールドは、前述した表２５のように定義される。
【０２０２】
情報タイプ(Ｉｎｆｏｒｍａｔｉｏｎ ｔｙｐｅ)が動作制御(Ｏｐｅｒａｔｉｏｎ Ｃｏｎｔｒｏｌ)情報を示すことができる。動作制御(Ｏｐｅｒａｔｉｏｎ Ｃｏｎｔｒｏｌ)情報エレメントに対応する情報応答(Ｉｎｆｏｒｍａｔｉｏｎ ｒｅｓｐｏｎｓｅ)フィールドは、以下の表２９のように定義される。
【０２０３】
【表２９】
2013546246.tif 000032
【０２０４】
長さ(Ｌｅｎｇｔｈ)は、チャネル番号(Ｃｈａｎｎｅｌ Ｎｕｍｂｅｒ)と最大電力レベル(Ｍａｘｉｍｕｍ Ｐｏｗｅｒ Ｌｅｖｅｌ)フィールドの反復回数であるｎに対して設定される可変値である。
【０２０５】
チャネル番号(Ｃｈａｎｎｅｌ Ｎｕｍｂｅｒ)は、共存イネイブラ(ＣＥ)２００が動作することができるＴＶチャネル番号に設定される。
【０２０６】
最大電力レベル(Ｍａｘｉｍｕｍ Ｐｏｗｅｒ Ｌｅｖｅｌ)は、符号のついた数字(ｓｉｇｎｅｄ ｎｕｍｂｅｒ)であり、１オクテットの長さを有する。最大電力レベル(Ｍａｘｉｍｕｍ Ｐｏｗｅｒ Ｌｅｖｅｌ)は、チャネル番号(Ｃｈａｎｎｅｌ Ｎｕｍｂｅｒ)フィールドにより指示されるチャネル上に送信されることができる最大送信電力をｄＢｍで表す。チャネル番号(Ｃｈａｎｎｅｌ Ｎｕｍｂｅｒ)フィールドと最大電力レベル(Ｍａｘｉｍｕｍ Ｐｏｗｅｒ Ｌｅｖｅｌ)フィールドは繰り返される。
【０２０７】
図１３は、リソース再構成手順を示す図面である。
【０２０８】
図１３を参照して分かるように、ＴＶＢＤデバイスは、リソース再構成メッセージをＣＥに送信する。リソース再構成メッセージは、ＴＶＢＤデバイスの情報を含むことができる。情報は、利用可能なチャネルリストを含むことができる。
【０２０９】
ＣＥは、リソース再構成メッセージをＣＭに送信することができる。ＣＭに送信されるリソース再構成メッセージ内のソース識別子は、ＣＥのＩＤに設定され、目的地識別子は、ＣＭのＩＤに設定される。リソース再構成メッセージは、以下の表３０と共に設定されることができる。
【０２１０】
【表３０】
2013546246.tif 000033
【０２１１】
ＣＭは、リソース再構成メッセージの受信に応答し、リソースを割り当てる。そして、ＣＭは、割り当てられたリソースに対する情報を含む再構成応答メッセージをＣＥに送信する。リソース再構成メッセージは、リソースを割り当てるために使われる。リソース再構成メッセージは、以下の表のように構成されることができる。
【０２１２】
【表３１】
2013546246.tif 000034
【０２１３】
チャネル番号は、割り当てられたリソース、即ち、チャネルに対する情報を含む。そして、電力制限は、割り当てられたチャネルで送信電力の制限を示す。
【０２１４】
図１４は、本明細書に開示されたＴＶＢＤネットワーク又はデバイス１００のブロック図である。
【０２１５】
図１４に示すように、ＴＶＢＤネットワーク又はデバイス１００は、格納手段１１０、コントローラ１２０、及び送受信部１３０を含む。
【０２１６】
格納手段１１０は、図１乃至図１３に示す実施例に係る方法を格納する。
【０２１７】
コントローラ１２０は、格納手段１１０及び送受信部１３０を制御する。具体的に、コントローラ１２０は、格納手段１１０に格納された方法を各々実行する。そして、コントローラ１２０は、送受信部１３０を介して前述した信号を送信する。
【０２１８】
図１５は、本明細書に開示された共存マネージャ(ＣＭ)３００のブロック図である。
【０２１９】
図１５に示すように、共存マネージャ(ＣＭ)３００は、格納手段３１０、コントローラ３２０、及び送受信部３３０を含む。
【０２２０】
格納手段３１０は、図１乃至図１３に示す実施例に係る方法を格納する。
【０２２１】
コントローラ３２０は、格納手段３１０及び送受信部３３０を制御する。具体的に、コントローラ３２０は、格納手段３１０に格納された方法を各々実行する。そして、コントローラ３２０は、送受信部３３０を介して前述した信号を送信する。
【０２２２】
以上、本発明の好ましい実施例を例示的に説明したが、本発明の範囲はこのような特定実施例に限定されるものではないので、本発明は、本発明の思想及び特許請求の範囲上に記載された範疇内で多様な形態で修正、変更、又は改善されることができる。
【図１】
2013546246.tif 000035
【図２】
2013546246.tif 000036
【図３】
2013546246.tif 000037
【図４ａ】
2013546246.tif 000038
【図４ｂ】
2013546246.tif 000039
【図５】
2013546246.tif 000040
【図６】
2013546246.tif 000041
【図７】
2013546246.tif 000042
【図８】
2013546246.tif 000043
【図９】
2013546246.tif 000044
【図１０】
2013546246.tif 000045
【図１１（ａ）】
2013546246.tif 000046
【図１１（ｂ）】
2013546246.tif 000047
【図１１（ｃ）】
2013546246.tif 000048
【図１１（ｄ）】
2013546246.tif 000049
【図１２】
2013546246.tif 000050
【図１３】
2013546246.tif 000051
【図１４】
2013546246.tif 000052
【図１５】
2013546246.tif 000053
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
少なくとも一つの割り当てられたチャネルを受信する方法であって、
共存イネイブラエンティティを含む装置から共存マネージャに、ＴＶ帯域内のチャネルを利用する少なくとも一つのデバイスに関する情報を含む要求メッセージを送信するステップと、
前記装置が、リソースを割り当てるために使用される応答メッセージを前記共存マネージャから受信するステップと、
を有し、
前記情報は、前記ＴＶ帯域内のチャネル番号を含み、
前記要求メッセージは、最大電力レベルと地理的位置に関する情報のうち少なくとも一つをさらに含み、
前記応答メッセージは、チャネル番号に関する情報、開始周波数、終了周波数、及び最大電力レベルのうち少なくとも一つを含むことを特徴とするチャネル受信方法。
【請求項２】
前記装置が、前記少なくとも一つのデバイスから要求メッセージを受信するステップをさらに有することを特徴とする請求項１に記載のチャネル受信方法。
【請求項３】
前記少なくとも一つのデバイスから受信された前記要求メッセージは、チャネル番号に関する情報、最大電力レベル、チャネル負荷、及び地理的位置に関する情報のうち少なくとも一つを含むことを特徴とする請求項２に記載のチャネル受信方法。
【請求項４】
前記装置が、応答メッセージを前記少なくとも一つのデバイスに送信するステップをさらに有することを特徴とする請求項１に記載のチャネル受信方法。
【請求項５】
前記送信された応答メッセージは、チャネル番号に関する情報、開始周波数、終了周波数、及び最大電力レベルのうち少なくとも一つを含むことを特徴とする請求項４に記載のチャネル受信方法。
【請求項６】
前記共存マネージャは、
共存ホワイトスペースマップを生成するステップと、
複数のデバイスに対する共存の決定を行うステップと、
共存のために要求される情報を交換するステップと、
のうち少なくとも１つのステップを実行することを特徴とする請求項１に記載のチャネル受信方法。
【請求項７】
前記少なくとも一つのデバイスは、異なるタイプのネットワーク技術を利用することを特徴とする請求項１に記載のチャネル受信方法。
【請求項８】
少なくとも一つのリソースを割り当てる方法であって、
共存マネージャを含む装置が、ＴＶ帯域内のチャネルを利用する少なくとも一つのデバイスに関する情報を含む要求メッセージを共存イネイブラエンティティから受信するステップと、
前記装置が、リソースを割り当てるために使用される応答メッセージを前記共存イネイブラエンティティに送信するステップと、
を有し、
前記情報は、前記ＴＶ帯域内のチャネル番号を含み、
前記要求メッセージは、最大電力レベルと地理的位置に関する情報のうち少なくとも一つをさらに含み、
前記応答メッセージは、チャネル番号に関する情報、開始周波数、終了周波数、及び最大電力レベルのうち少なくとも一つを含むことを特徴とするリソース割当方法。
【請求項９】
前記共存マネージャは、
共存ホワイトスペースマップを生成するステップと、
複数のデバイスに対する共存の決定を行うステップと、
共存のために要求される情報を交換するステップと、
のうち少なくとも１つのステップを実行することを特徴とする請求項８に記載のリソース割当方法。
【請求項１０】
前記少なくとも一つのデバイスは、異なるタイプのネットワーク技術を利用することを特徴とする請求項８に記載のリソース割当方法。
【請求項１１】
共存イネイブラエンティティを格納する格納部と、
前記共存イネイブラエンティティと協力し、ＴＶ帯域内のチャネルを利用する少なくとも一つのデバイスに関する情報を含む要求メッセージを共存マネージャに送信するよう構成された送信部と、
リソースを割り当てるために使用される応答メッセージを前記共存マネージャから受信するよう構成された受信部と、
を有し、
前記情報は、前記ＴＶ帯域内のチャネル番号を含み、
前記要求メッセージは、最大電力レベルと地理的位置に関する情報のうち少なくとも一つをさらに含み、
前記応答メッセージは、チャネル番号に関する情報、開始周波数、終了周波数、及び最大電力レベルのうち少なくとも一つ以上を含むことを特徴とする装置。
【請求項１２】
前記受信部は、前記少なくとも一つのデバイスから要求メッセージを受信するようさらに構成され、
前記少なくとも一つのデバイスから受信された前記要求メッセージは、チャネル番号に関する情報、最大電力レベル、チャネル負荷、及び地理的位置に関する情報のうち少なくとも一つを含むことを特徴とする請求項１１に記載の装置。
【請求項１３】
前記送信部は、応答メッセージを前記少なくとも一つのデバイスに送信するようさらに構成され、
前記送信された応答メッセージは、チャネル番号に関する情報、開始周波数、終了周波数、及び最大電力レベルのうち少なくとも一つを含むことを特徴とする請求項１１に記載の装置。
【請求項１４】
共存マネージャを格納する格納部と、
ＴＶ帯域内のチャネルを利用する少なくとも一つのデバイスに関する情報を含む要求メッセージを共存イネイブラエンティティから受信するよう構成された受信部と、
リソースを割り当てるために使用される応答メッセージを前記共存イネイブラエンティティに送信するよう構成された送信部と、
を有し、
前記情報は、前記ＴＶ帯域内のチャネル番号を含み、
前記要求メッセージは、最大電力レベルと地理的位置に関する情報のうち少なくとも一つをさらに含み、
前記応答メッセージは、チャネル番号に関する情報、開始周波数、終了周波数、及び最大電力レベルのうち少なくとも一つを含むことを特徴とする装置。
【請求項１５】
前記共存マネージャは、
共存ホワイトスペースマップを生成するステップと、
複数のデバイスに対する共存の決定を行うステップと、
共存のために要求される情報を交換するステップと、
のうち少なくとも１つのステップを実行することを特徴とする請求項１４に記載の装置。
【国際調査報告】
2013546246.tif 000054
2013546246.tif 000055
2013546246.tif 000056
2013546246.tif 000057